(57)【要約】      （修正有）【課題】通信技術におけるランダムアクセス系列生成方法、デバイス及びシステムを提供する。【解決手段】基地局は、通知シグナリングを生成し、通知シグナリングは、指示情報を含み、指示情報は、ユーザ装置UEに対して0から2020043569.tif 001035の範囲からシフト系列番号を選択するように命令するために使用され、シフト系列番号は整数である。基地局は、通知シグナリングをUEに送信し、それにより、UEは、指示情報に従ってランダムアクセス系列を生成する。【選択図】図１
2020043569.tif 000002
【特許請求の範囲】
【請求項１】
基地局により、通知シグナリングを生成するステップであり、前記通知シグナリングは、指示情報を含み、前記指示情報は、ユーザ装置UEに対して0から
【数７４５】
2020043569.tif 000747
の範囲からシフト系列番号を選択するように命令するために使用され、前記シフト系列番号は整数であり、nshiftRAはグループ内のUE候補系列シフトの数量であり、ngroupRAはグループの数量であり、
【数７４６】
2020043569.tif 000748
はグループにとって不十分な最後の長さにおけるUE候補系列シフトの数量であり、
【数７４７】
2020043569.tif 000749
は第１の残りの系列シフトにおけるUE候補系列シフトの数量であり、
【数７４８】
2020043569.tif 000750
は第２の残りの系列シフトにおけるUE候補系列シフトの数量であるステップと、
前記基地局により、前記通知シグナリングを前記UEに送信し、それにより、前記UEは、前記指示情報に従ってランダムアクセス系列を生成するステップと
を含むランダムアクセス系列生成方法。
【請求項２】
前記基地局により前記通知シグナリングを前記UEに送信した後に、
前記基地局により、0から
【数７４９】
2020043569.tif 000751
の前記範囲からシフト系列番号を選択するステップと、
前記基地局により、前記シフト系列番号に従ってサイクリックシフト値を取得するステップと、
前記基地局により、前記サイクリックシフト値に従って検出系列を生成し、前記検出系列を使用することにより、前記UEにより送信された前記ランダムアクセス系列を検出するステップであり、前記ランダムアクセス系列は、前記UEにより前記指示情報に従って生成されるステップと
を更に含む、請求項１に記載の方法。
【請求項３】
前記基地局により、前記シフト系列番号に従ってサイクリックシフト値を取得するステップは、
前記基地局により、以下の式(1)、式(2)又は式(3)：
【数７５０】
2020043569.tif 000752
を使用することにより、前記シフト系列番号vに従って前記サイクリックシフト値Cvを取得するステップであり、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数７５１】
2020043569.tif 000753
は前記第１の残りの系列シフトにおける第１のUE候補系列シフトのサイクリックシフト値であり、
【数７５２】
2020043569.tif 000754
は前記第２の残りの系列シフトにおける第１のUE候補系列シフトのサイクリックシフト値であるステップを含む、請求項２に記載の方法。
【請求項４】
【数７５３】
2020043569.tif 000755
の場合、前記基地局は、式(1)を使用することにより、前記サイクリックシフト値Cvを取得し、
【数７５４】
2020043569.tif 000756
の場合、前記基地局は、式(2)を使用することにより、前記サイクリックシフト値Cvを取得し、
【数７５５】
2020043569.tif 000757
の場合、前記基地局は、式(3)を使用することにより、前記サイクリックシフト値Cvを取得する、請求項３に記載の方法。
【請求項５】
【数７５６】
2020043569.tif 000758
は、式(4)から(11)を満たし、
式(4)から(11)は、それぞれ、
【数７５７】
2020043569.tif 000759
であり、duはドップラー周波数シフトがPRACHサブキャリア間隔の１倍であるときの前記ランダムアクセス系列に対応するサイクリックシフトである、請求項３又は４に記載の方法。
【請求項６】
【数７５８】
2020043569.tif 000760
は、式(12)から(19)を満たし、
式(12)から(19)は、それぞれ、
【数７５９】
2020043569.tif 000761
であり、duはドップラー周波数シフトがPRACHサブキャリア間隔の１倍であるときの前記ランダムアクセス系列に対応するサイクリックシフトである、請求項３又は４に記載の方法。
【請求項７】
【数７６０】
2020043569.tif 000762
は、式(20)から(27)を満たし、
式(20)から(27)は、それぞれ、
【数７６１】
2020043569.tif 000763
であり、duはドップラー周波数シフトがPRACHサブキャリア間隔の１倍であるときの前記ランダムアクセス系列に対応するサイクリックシフトである、請求項３又は４に記載の方法。
【請求項８】
【数７６２】
2020043569.tif 000764
は、式(28)から(35)を満たし、
式(28)から(35)は、それぞれ、
【数７６３】
2020043569.tif 000765
であり、duはドップラー周波数シフトがPRACHサブキャリア間隔の１倍であるときの前記ランダムアクセス系列に対応するサイクリックシフトである、請求項３又は４に記載の方法。
【請求項９】
【数７６４】
2020043569.tif 000766
の場合、
【数７６５】
2020043569.tif 000767
は、式(4)から(11)を満たし、
【数７６６】
2020043569.tif 000768
の場合、
【数７６７】
2020043569.tif 000769
は、式(12)から(19)を満たすか、或いは、
【数７６８】
2020043569.tif 000770
の場合、
【数７６９】
2020043569.tif 000771
は、式(4)から(11)を満たし、
【数７７０】
2020043569.tif 000772
の場合、
【数７７１】
2020043569.tif 000773
は、式(12)から(19)を満たし、
【数７７２】
2020043569.tif 000774
の場合、
【数７７３】
2020043569.tif 000775
は、式(20)から(27)を満たし、
【数７７４】
2020043569.tif 000776
の場合、
【数７７５】
2020043569.tif 000777
は、式(28)から(35)を満たすか、或いは、
【数７７６】
2020043569.tif 000778
の場合、
【数７７７】
2020043569.tif 000779
は、式(20)から(27)を満たし、
【数７７８】
2020043569.tif 000780
の場合、
【数７７９】
2020043569.tif 000781
は、式(28)から(35)を満たす、請求項５乃至８のうちいずれか１項に記載の方法。
【請求項１０】
ユーザ装置UEにより、基地局から通知シグナリングを受信するステップであり、前記通知シグナリングは、指示情報を含み、前記指示情報は、前記UEに対して0から
【数７８０】
2020043569.tif 000782
の範囲からシフト系列番号を選択するように命令するために使用され、前記シフト系列番号は整数であり、nshiftRAはグループ内のUE候補系列シフトの数量であり、ngroupRAはグループの数量であり、
【数７８１】
2020043569.tif 000783
はグループにとって不十分な最後の長さにおけるUE候補系列シフトの数量であり、
【数７８２】
2020043569.tif 000784
は第１の残りの系列シフトにおけるUE候補系列シフトの数量であり、
【数７８３】
2020043569.tif 000785
は第２の残りの系列シフトにおけるUE候補系列シフトの数量であるステップと、
前記UEにより、前記通知シグナリングに従って0から
【数７８４】
2020043569.tif 000786
の前記範囲からシフト系列番号を選択するステップと、
前記UEにより、前記シフト系列番号に従ってサイクリックシフト値を取得するステップと、
前記UEにより、前記サイクリックシフト値に従ってランダムアクセス系列を生成するステップと
を含むランダムアクセス系列生成方法。
【請求項１１】
前記UEにより、前記シフト系列番号に従ってサイクリックシフト値を取得するステップは、
前記UEにより、以下の式(1)、式(2)又は式(3)：
【数７８５】
2020043569.tif 000787
を使用することにより、前記シフト系列番号vに従って前記サイクリックシフト値Cvを取得するステップであり、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数７８６】
2020043569.tif 000788
は第１の残りの系列シフトにおける第１のUE候補系列シフトのサイクリックシフト値であり、
【数７８７】
2020043569.tif 000789
は第２の残りの系列シフトにおける第１のUE候補系列シフトのサイクリックシフト値であるステップを含む、請求項１０に記載の方法。
【請求項１２】
【数７８８】
2020043569.tif 000790
の場合、前記UEは、式(1)を使用することにより、前記サイクリックシフト値Cvを取得し、
【数７８９】
2020043569.tif 000791
の場合、前記UEは、式(2)を使用することにより、前記サイクリックシフト値Cvを取得し、
【数７９０】
2020043569.tif 000792
の場合、前記UEは、式(3)を使用することにより、前記サイクリックシフト値Cvを取得する、請求項１１に記載の方法。
【請求項１３】
【数７９１】
2020043569.tif 000793
は、式(4)から(11)を満たし、
式(4)から(11)は、それぞれ、
【数７９２】
2020043569.tif 000794
であり、duはドップラー周波数シフトがPRACHサブキャリア間隔の１倍であるときの前記ランダムアクセス系列に対応するサイクリックシフトである、請求項１１又は１２に記載の方法。
【請求項１４】
【数７９３】
2020043569.tif 000795
は、式(12)から(19)を満たし、
式(12)から(19)は、それぞれ、
【数７９４】
2020043569.tif 000796
であり、duはドップラー周波数シフトがPRACHサブキャリア間隔の１倍であるときの前記ランダムアクセス系列に対応するサイクリックシフトである、請求項１１又は１２に記載の方法。
【請求項１５】
【数７９５】
2020043569.tif 000797
は、式(20)から(27)を満たし、
式(20)から(27)は、それぞれ、
【数７９６】
2020043569.tif 000798
であり、duはドップラー周波数シフトがPRACHサブキャリア間隔の１倍であるときの前記ランダムアクセス系列に対応するサイクリックシフトである、請求項１１又は１２に記載の方法。
【請求項１６】
【数７９７】
2020043569.tif 000799
は、式(28)から(35)を満たし、
式(28)から(35)は、それぞれ、
【数７９８】
2020043569.tif 000800
であり、duはドップラー周波数シフトがPRACHサブキャリア間隔の１倍であるときの前記ランダムアクセス系列に対応するサイクリックシフトである、請求項１１又は１２に記載の方法。
【請求項１７】
【数７９９】
2020043569.tif 000801
の場合、
【数８００】
2020043569.tif 000802
は、式(4)から(11)を満たし、
【数８０１】
2020043569.tif 000803
の場合、
【数８０２】
2020043569.tif 000804
は、式(12)から(19)を満たすか、或いは、
【数８０３】
2020043569.tif 000805
の場合、
【数８０４】
2020043569.tif 000806
は、式(4)から(11)を満たし、
【数８０５】
2020043569.tif 000807
の場合、
【数８０６】
2020043569.tif 000808
は、式(12)から(19)を満たし、
【数８０７】
2020043569.tif 000809
の場合、
【数８０８】
2020043569.tif 000810
は、式(20)から(27)を満たし、
【数８０９】
2020043569.tif 000811
の場合、
【数８１０】
2020043569.tif 000812
は、式(28)から(35)を満たすか、或いは、
【数８１１】
2020043569.tif 000813
の場合、
【数８１２】
2020043569.tif 000814
は、式(20)から(27)を満たし、
【数８１３】
2020043569.tif 000815
の場合、
【数８１４】
2020043569.tif 000816
は、式(28)から(35)を満たす、請求項１３乃至１６のうちいずれか１項に記載の方法。
【請求項１８】
前記UEにより、前記サイクリックシフト値に従ってランダムアクセス系列を生成するステップは、
前記UEにより、以下の式(36)：
【数８１５】
2020043569.tif 000817
を使用することにより、前記サイクリックシフト値Cvに従って前記ランダムアクセス系列
【数８１６】
2020043569.tif 000818
を生成するステップであり、NZCは系列長であり、ルートがuであるZC系列は
【数８１７】
2020043569.tif 000819
として規定されるステップを含む、請求項１０乃至１７のうちいずれか１項に記載の方法。
【請求項１９】
基地局により、0から
【数８１８】
2020043569.tif 000820
の範囲からシフト系列番号vを選択するステップであり、vは整数であり、nshiftRAはグループ内のユーザ装置UE候補系列シフトの数量であり、ngroupRAはグループの数量であり、
【数８１９】
2020043569.tif 000821
はグループにとって不十分な最後の長さにおけるUE候補系列シフトの数量であり、
【数８２０】
2020043569.tif 000822
は第１の残りの系列シフトにおけるUE候補系列シフトの数量であり、
【数８２１】
2020043569.tif 000823
は第２の残りの系列シフトにおけるUE候補系列シフトの数量であるステップと、
前記基地局により、以下の式(1)、式(2)又は式(3)：
【数８２２】
2020043569.tif 000824
を使用することにより、前記シフト系列番号vに従ってサイクリックシフト値Cvを取得するステップであり、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数８２３】
2020043569.tif 000825
は第１の残りの系列シフトにおける第１のUE候補系列シフトのサイクリックシフト値であり、
【数８２４】
2020043569.tif 000826
は第２の残りの系列シフトにおける第１のUE候補系列シフトのサイクリックシフト値であり、
【数８２５】
2020043569.tif 000827
は、式(4)から(11)を満たすか、或いは、
【数８２６】
2020043569.tif 000828
は、式(12)から(19)を満たすか、或いは、
【数８２７】
2020043569.tif 000829
は、式(20)から(27)を満たすか、或いは、
【数８２８】
2020043569.tif 000830
は、式(28)から(35)を満たし、
【数８２９】
2020043569.tif 000831
【数８３０】
2020043569.tif 000832
【数８３１】
2020043569.tif 000833
【数８３２】
2020043569.tif 000834
であり、NZCは系列長であり、duはドップラー周波数シフトがPRACHサブキャリア間隔の１倍であるときのランダムアクセス系列に対応するサイクリックシフトであるステップと
を含むランダムアクセス系列生成方法。
【請求項２０】
【数８３３】
2020043569.tif 000835
の場合、前記基地局は、式(1)を使用することにより、前記サイクリックシフト値Cvを取得し、
【数８３４】
2020043569.tif 000836
の場合、前記基地局は、式(2)を使用することにより、前記サイクリックシフト値Cvを取得し、
【数８３５】
2020043569.tif 000837
の場合、前記基地局は、式(3)を使用することにより、前記サイクリックシフト値Cvを取得する、請求項１９に記載の方法。
【請求項２１】
【数８３６】
2020043569.tif 000838
の場合、
【数８３７】
2020043569.tif 000839
は、式(4)から(11)を満たし、
【数８３８】
2020043569.tif 000840
の場合、
【数８３９】
2020043569.tif 000841
は、式(12)から(19)を満たすか、或いは、
【数８４０】
2020043569.tif 000842
の場合、
【数８４１】
2020043569.tif 000843
は、式(4)から(11)を満たし、
【数８４２】
2020043569.tif 000844
の場合、
【数８４３】
2020043569.tif 000845
は、式(12)から(19)を満たし、
【数８４４】
2020043569.tif 000846
の場合、
【数８４５】
2020043569.tif 000847
は、式(20)から(27)を満たし、
【数８４６】
2020043569.tif 000848
の場合、
【数８４７】
2020043569.tif 000849
は、式(28)から(35)を満たすか、或いは、
【数８４８】
2020043569.tif 000850
の場合、
【数８４９】
2020043569.tif 000851
は、式(20)から(27)を満たし、
【数８５０】
2020043569.tif 000852
の場合、
【数８５１】
2020043569.tif 000853
は、式(28)から(35)を満たす、請求項１９又は２０に記載の方法。
【請求項２２】
ユーザ装置UEにより、0から
【数８５２】
2020043569.tif 000854
の範囲からシフト系列番号vを選択するステップであり、vは整数であり、nshiftRAはグループ内のUE候補系列シフトの数量であり、ngroupRAはグループの数量であり、
【数８５３】
2020043569.tif 000855
はグループにとって不十分な最後の長さにおけるUE候補系列シフトの数量であり、
【数８５４】
2020043569.tif 000856
は第１の残りの系列シフトにおけるUE候補系列シフトの数量であり、
【数８５５】
2020043569.tif 000857
は第２の残りの系列シフトにおけるUE候補系列シフトの数量であるステップと、
前記UEにより、以下の式(1)、式(2)又は式(3)：
【数８５６】
2020043569.tif 000858
を使用することにより、前記シフト系列番号vに従ってサイクリックシフト値Cvを取得するステップであり、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数８５７】
2020043569.tif 000859
は第１の残りの系列シフトにおける第１のUE候補系列シフトのサイクリックシフト値であり、
【数８５８】
2020043569.tif 000860
は第２の残りの系列シフトにおける第１のUE候補系列シフトのサイクリックシフト値であるステップと、
前記UEにより、以下の式(36)：
【数８５９】
2020043569.tif 000861
を使用することにより、前記サイクリックシフト値Cvに従ってランダムアクセス系列
【数８６０】
2020043569.tif 000862
を生成するステップであり、NZCは系列長であり、ルートがuであるZC系列は
【数８６１】
2020043569.tif 000863
として規定され、
【数８６２】
2020043569.tif 000864
は、式(4)から(11)を満たすか、或いは、
【数８６３】
2020043569.tif 000865
は、式(12)から(19)を満たすか、或いは、
【数８６４】
2020043569.tif 000866
は、式(20)から(27)を満たすか、或いは、
【数８６５】
2020043569.tif 000867
は、式(28)から(35)を満たし、
【数８６６】
2020043569.tif 000868
【数８６７】
2020043569.tif 000869
【数８６８】
2020043569.tif 000870
【数８６９】
2020043569.tif 000871
であり、duはドップラー周波数シフトがPRACHサブキャリア間隔の１倍であるときの前記ランダムアクセス系列に対応するサイクリックシフトであるステップと
を含むランダムアクセス系列生成方法。
【請求項２３】
【数８７０】
2020043569.tif 000872
の場合、前記UEは、式(1)を使用することにより、前記サイクリックシフト値Cvを取得し、
【数８７１】
2020043569.tif 000873
の場合、前記UEは、式(2)を使用することにより、前記サイクリックシフト値Cvを取得し、
【数８７２】
2020043569.tif 000874
の場合、前記UEは、式(3)を使用することにより、前記サイクリックシフト値Cvを取得する、請求項２２に記載の方法。
【請求項２４】
【数８７３】
2020043569.tif 000875
の場合、
【数８７４】
2020043569.tif 000876
は、式(4)から(11)を満たし、
【数８７５】
2020043569.tif 000877
の場合、
【数８７６】
2020043569.tif 000878
は、式(12)から(19)を満たすか、或いは、
【数８７７】
2020043569.tif 000879
の場合、
【数８７８】
2020043569.tif 000880
は、式(4)から(11)を満たし、
【数８７９】
2020043569.tif 000881
の場合、
【数８８０】
2020043569.tif 000882
は、式(12)から(19)を満たし、
【数８８１】
2020043569.tif 000883
の場合、
【数８８２】
2020043569.tif 000884
は、式(20)から(27)を満たし、
【数８８３】
2020043569.tif 000885
の場合、
【数８８４】
2020043569.tif 000886
は、式(28)から(35)を満たすか、或いは、
【数８８５】
2020043569.tif 000887
の場合、
【数８８６】
2020043569.tif 000888
は、式(20)から(27)を満たし、
【数８８７】
2020043569.tif 000889
の場合、
【数８８８】
2020043569.tif 000890
は、式(28)から(35)を満たす、請求項２２又は２３に記載の方法。
【請求項２５】
通知シグナリングを生成するように構成された生成モジュールであり、前記通知シグナリングは、指示情報を含み、前記指示情報は、ユーザ装置UEに対して0から
【数８８９】
2020043569.tif 000891
の範囲からシフト系列番号を選択するように命令するために使用され、前記シフト系列番号は整数であり、nshiftRAはグループ内のUE候補系列シフトの数量であり、ngroupRAはグループの数量であり、
【数８９０】
2020043569.tif 000892
はグループにとって不十分な最後の長さにおけるUE候補系列シフトの数量であり、
【数８９１】
2020043569.tif 000893
は第１の残りの系列シフトにおけるUE候補系列シフトの数量であり、
【数８９２】
2020043569.tif 000894
は第２の残りの系列シフトにおけるUE候補系列シフトの数量である生成モジュールと、
前記通知シグナリングを前記UEに送信するように構成され、それにより、前記UEは、前記指示情報に従ってランダムアクセス系列を生成する送信モジュールと
を含む基地局。
【請求項２６】
0から
【数８９３】
2020043569.tif 000895
の前記範囲からシフト系列番号を選択するように構成されたシフト系列番号決定モジュールと、
前記シフト系列番号に従ってサイクリックシフト値を取得するように構成されたサイクリックシフト値決定モジュールと、
前記サイクリックシフト値に従って検出系列を生成し、前記検出系列を使用することにより、前記UEにより送信された前記ランダムアクセス系列を検出するように構成されたランダムアクセス系列検出モジュールであり、前記ランダムアクセス系列は、前記UEにより前記指示情報に従って生成されるランダムアクセス系列検出モジュールと
を更に含む、請求項２５に記載の基地局。
【請求項２７】
前記サイクリックシフト値決定モジュールは、
以下の式(1)、式(2)又は式(3)：
【数８９４】
2020043569.tif 000896
を使用することにより、前記シフト系列番号vに従って前記サイクリックシフト値Cvを取得するように具体的に構成され、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数８９５】
2020043569.tif 000897
は第１の残りの系列シフトにおける第１のUE候補系列シフトのサイクリックシフト値であり、
【数８９６】
2020043569.tif 000898
は第２の残りの系列シフトにおける第１のUE候補系列シフトのサイクリックシフト値である、請求項２６に記載の基地局。
【請求項２８】
【数８９７】
2020043569.tif 000899
の場合、前記サイクリックシフト値決定モジュールは、式(1)を使用することにより、前記サイクリックシフト値Cvを取得し、
【数８９８】
2020043569.tif 000900
の場合、前記サイクリックシフト値決定モジュールは、式(2)を使用することにより、前記サイクリックシフト値Cvを取得し、
【数８９９】
2020043569.tif 000901
の場合、前記サイクリックシフト値決定モジュールは、式(3)を使用することにより、前記サイクリックシフト値Cvを取得する、請求項２７に記載の基地局。
【請求項２９】
【数９００】
2020043569.tif 000902
は、式(4)から(11)を満たし、
式(4)から(11)は、それぞれ、
【数９０１】
2020043569.tif 000903
であり、duはドップラー周波数シフトがPRACHサブキャリア間隔の１倍であるときの前記ランダムアクセス系列に対応するサイクリックシフトである、請求項２７又は２８に記載の基地局。
【請求項３０】
【数９０２】
2020043569.tif 000904
は、式(12)から(19)を満たし、
式(12)から(19)は、それぞれ、
【数９０３】
2020043569.tif 000905
であり、duはドップラー周波数シフトがPRACHサブキャリア間隔の１倍であるときの前記ランダムアクセス系列に対応するサイクリックシフトである、請求項２７又は２８に記載の基地局。
【請求項３１】
【数９０４】
2020043569.tif 000906
は、式(20)から(27)を満たし、
式(20)から(27)は、それぞれ、
【数９０５】
2020043569.tif 000907
であり、duはドップラー周波数シフトがPRACHサブキャリア間隔の１倍であるときの前記ランダムアクセス系列に対応するサイクリックシフトである、請求項２７又は２８に記載の基地局。
【請求項３２】
【数９０６】
2020043569.tif 000908
は、式(28)から(35)を満たし、
式(28)から(35)は、それぞれ、
【数９０７】
2020043569.tif 000909
であり、duはドップラー周波数シフトがPRACHサブキャリア間隔の１倍であるときの前記ランダムアクセス系列に対応するサイクリックシフトである、請求項２７又は２８に記載の基地局。
【請求項３３】
【数９０８】
2020043569.tif 000910
の場合、
【数９０９】
2020043569.tif 000911
は、式(4)から(11)を満たし、
【数９１０】
2020043569.tif 000912
の場合、
【数９１１】
2020043569.tif 000913
は、式(12)から(19)を満たすか、或いは、
【数９１２】
2020043569.tif 000914
の場合、
【数９１３】
2020043569.tif 000915
は、式(4)から(11)を満たし、
【数９１４】
2020043569.tif 000916
の場合、
【数９１５】
2020043569.tif 000917
は、式(12)から(19)を満たし、
【数９１６】
2020043569.tif 000918
の場合、
【数９１７】
2020043569.tif 000919
は、式(20)から(27)を満たし、
【数９１８】
2020043569.tif 000920
の場合、
【数９１９】
2020043569.tif 000921
は、式(28)から(35)を満たすか、或いは、
【数９２０】
2020043569.tif 000922
の場合、
【数９２１】
2020043569.tif 000923
は、式(20)から(27)を満たし、
【数９２２】
2020043569.tif 000924
の場合、
【数９２３】
2020043569.tif 000925
は、式(28)から(35)を満たす、請求項２９乃至３２のうちいずれか１項に記載の基地局。
【請求項３４】
基地局から通知シグナリングを受信するように構成された受信モジュールであり、前記通知シグナリングは、指示情報を含み、前記指示情報は、ユーザ装置UEに対して0から
【数９２４】
2020043569.tif 000926
の範囲からシフト系列番号を選択するように命令するために使用され、前記シフト系列番号は整数であり、nshiftRAはグループ内のUE候補系列シフトの数量であり、ngroupRAはグループの数量であり、
【数９２５】
2020043569.tif 000927
はグループにとって不十分な最後の長さにおけるUE候補系列シフトの数量であり、
【数９２６】
2020043569.tif 000928
は第１の残りの系列シフトにおけるUE候補系列シフトの数量であり、
【数９２７】
2020043569.tif 000929
は第２の残りの系列シフトにおけるUE候補系列シフトの数量である受信モジュールと、
前記通知シグナリングに従って0から
【数９２８】
2020043569.tif 000930
の前記範囲からシフト系列番号を選択するように構成されたシフト系列番号決定モジュールと、
前記シフト系列番号に従ってサイクリックシフト値を取得するように構成されたサイクリックシフト値決定モジュールと、
前記サイクリックシフト値に従ってランダムアクセス系列を生成するように構成されたランダムアクセス系列生成モジュールと
を含むUE。
【請求項３５】
前記サイクリックシフト値決定モジュールは、
以下の式(1)、式(2)又は式(3)：
【数９２９】
2020043569.tif 000931
を使用することにより、前記シフト系列番号vに従って前記サイクリックシフト値Cvを取得するように具体的に構成され、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数９３０】
2020043569.tif 000932
は第１の残りの系列シフトにおける第１のUE候補系列シフトのサイクリックシフト値であり、
【数９３１】
2020043569.tif 000933
は第２の残りの系列シフトにおける第１のUE候補系列シフトのサイクリックシフト値である、請求項３４に記載のUE。
【請求項３６】
【数９３２】
2020043569.tif 000934
の場合、前記サイクリックシフト値決定モジュールは、式(1)を使用することにより、前記サイクリックシフト値Cvを取得し、
【数９３３】
2020043569.tif 000935
の場合、前記サイクリックシフト値決定モジュールは、式(2)を使用することにより、前記サイクリックシフト値Cvを取得し、
【数９３４】
2020043569.tif 000936
の場合、前記サイクリックシフト値決定モジュールは、式(3)を使用することにより、前記サイクリックシフト値Cvを取得する、請求項３５に記載のUE。
【請求項３７】
【数９３５】
2020043569.tif 000937
は、式(4)から(11)を満たし、
式(4)から(11)は、それぞれ、
【数９３６】
2020043569.tif 000938
であり、duはドップラー周波数シフトがPRACHサブキャリア間隔の１倍であるときの前記ランダムアクセス系列に対応するサイクリックシフトである、請求項３５又は３６に記載のUE。
【請求項３８】
【数９３７】
2020043569.tif 000939
は、式(12)から(19)を満たし、
式(12)から(19)は、それぞれ、
【数９３８】
2020043569.tif 000940
であり、duはドップラー周波数シフトがPRACHサブキャリア間隔の１倍であるときの前記ランダムアクセス系列に対応するサイクリックシフトである、請求項３５又は３６に記載のUE。
【請求項３９】
【数９３９】
2020043569.tif 000941
は、式(20)から(27)を満たし、
式(20)から(27)は、それぞれ、
【数９４０】
2020043569.tif 000942
であり、duはドップラー周波数シフトがPRACHサブキャリア間隔の１倍であるときの前記ランダムアクセス系列に対応するサイクリックシフトである、請求項３５又は３６に記載のUE。
【請求項４０】
【数９４１】
2020043569.tif 000943
は、式(28)から(35)を満たし、
式(28)から(35)は、それぞれ、
【数９４２】
2020043569.tif 000944
であり、duはドップラー周波数シフトがPRACHサブキャリア間隔の１倍であるときの前記ランダムアクセス系列に対応するサイクリックシフトである、請求項３５又は３６に記載のUE。
【請求項４１】
【数９４３】
2020043569.tif 000945
の場合、
【数９４４】
2020043569.tif 000946
は、式(4)から(11)を満たし、
【数９４５】
2020043569.tif 000947
の場合、
【数９４６】
2020043569.tif 000948
は、式(12)から(19)を満たすか、或いは、
【数９４７】
2020043569.tif 000949
の場合、
【数９４８】
2020043569.tif 000950
は、式(4)から(11)を満たし、
【数９４９】
2020043569.tif 000951
の場合、
【数９５０】
2020043569.tif 000952
は、式(12)から(19)を満たし、
【数９５１】
2020043569.tif 000953
の場合、
【数９５２】
2020043569.tif 000954
は、式(20)から(27)を満たし、
【数９５３】
2020043569.tif 000955
の場合、
【数９５４】
2020043569.tif 000956
は、式(28)から(35)を満たすか、或いは、
【数９５５】
2020043569.tif 000957
の場合、
【数９５６】
2020043569.tif 000958
は、式(20)から(27)を満たし、
【数９５７】
2020043569.tif 000959
の場合、
【数９５８】
2020043569.tif 000960
は、式(28)から(35)を満たす、請求項３７乃至４０のうちいずれか１項に記載のUE。
【請求項４２】
前記ランダムアクセス系列生成モジュールは、
以下の式(36)：
【数９５９】
2020043569.tif 000961
を使用することにより、前記サイクリックシフト値Cvに従って前記ランダムアクセス系列
【数９６０】
2020043569.tif 000962
を生成するように具体的に構成され、NZCは系列長であり、ルートがuであるZC系列は
【数９６１】
2020043569.tif 000963
として規定される、請求項３４乃至４１のうちいずれか１項に記載のUE。
【請求項４３】
0から
【数９６２】
2020043569.tif 000964
の範囲からシフト系列番号vを選択するように構成されたシフト系列番号決定モジュールであり、vは整数であり、nshiftRAはグループ内のユーザ装置UE候補系列シフトの数量であり、ngroupRAはグループの数量であり、
【数９６３】
2020043569.tif 000965
はグループにとって不十分な最後の長さにおけるUE候補系列シフトの数量であり、
【数９６４】
2020043569.tif 000966
は第１の残りの系列シフトにおけるUE候補系列シフトの数量であり、
【数９６５】
2020043569.tif 000967
は第２の残りの系列シフトにおけるUE候補系列シフトの数量であるシフト系列番号決定モジュールと、
以下の式(1)、式(2)又は式(3)：
【数９６６】
2020043569.tif 000968
を使用することにより、前記シフト系列番号vに従ってサイクリックシフト値Cvを取得するように構成されたサイクリックシフト値決定モジュールであり、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数９６７】
2020043569.tif 000969
は第１の残りの系列シフトにおける第１のUE候補系列シフトのサイクリックシフト値であり、
【数９６８】
2020043569.tif 000970
は第２の残りの系列シフトにおける第１のUE候補系列シフトのサイクリックシフト値であり、
【数９６９】
2020043569.tif 000971
は、式(4)から(11)を満たすか、或いは、
【数９７０】
2020043569.tif 000972
は、式(12)から(19)を満たすか、或いは、
【数９７１】
2020043569.tif 000973
は、式(20)から(27)を満たすか、或いは、
【数９７２】
2020043569.tif 000974
は、式(28)から(35)を満たし、
【数９７３】
2020043569.tif 000975
【数９７４】
2020043569.tif 000976
【数９７５】
2020043569.tif 000977
【数９７６】
2020043569.tif 000978
であり、NZCは系列長であり、duはドップラー周波数シフトがPRACHサブキャリア間隔の１倍であるときのランダムアクセス系列に対応するサイクリックシフトであるサイクリックシフト値決定モジュールと
を含む基地局。
【請求項４４】
【数９７７】
2020043569.tif 000979
の場合、前記サイクリックシフト値決定モジュールは、式(1)を使用することにより、前記サイクリックシフト値Cvを取得し、
【数９７８】
2020043569.tif 000980
の場合、前記サイクリックシフト値決定モジュールは、式(2)を使用することにより、前記サイクリックシフト値Cvを取得し、
【数９７９】
2020043569.tif 000981
の場合、前記サイクリックシフト値決定モジュールは、式(3)を使用することにより、前記サイクリックシフト値Cvを取得する、請求項４３に記載の基地局。
【請求項４５】
【数９８０】
2020043569.tif 000982
の場合、
【数９８１】
2020043569.tif 000983
は、式(4)から(11)を満たし、
【数９８２】
2020043569.tif 000984
の場合、
【数９８３】
2020043569.tif 000985
は、式(12)から(19)を満たすか、或いは、
【数９８４】
2020043569.tif 000986
の場合、
【数９８５】
2020043569.tif 000987
は、式(4)から(11)を満たし、
【数９８６】
2020043569.tif 000988
の場合、
【数９８７】
2020043569.tif 000989
は、式(12)から(19)を満たし、
【数９８８】
2020043569.tif 000990
の場合、
【数９８９】
2020043569.tif 000991
は、式(20)から(27)を満たし、
【数９９０】
2020043569.tif 000992
の場合、
【数９９１】
2020043569.tif 000993
は、式(28)から(35)を満たすか、或いは、
【数９９２】
2020043569.tif 000994
の場合、
【数９９３】
2020043569.tif 000995
は、式(20)から(27)を満たし、
【数９９４】
2020043569.tif 000996
の場合、
【数９９５】
2020043569.tif 000997
は、式(28)から(35)を満たす、請求項４３又は４４に記載の基地局。
【請求項４６】
0から
【数９９６】
2020043569.tif 000998
の範囲からシフト系列番号vを選択するように構成されたシフト系列番号決定モジュールであり、vは整数であり、nshiftRAはグループ内のユーザ装置UE候補系列シフトの数量であり、ngroupRAはグループの数量であり、
【数９９７】
2020043569.tif 000999
はグループにとって不十分な最後の長さにおけるUE候補系列シフトの数量であり、
【数９９８】
2020043569.tif 001000
は第１の残りの系列シフトにおけるUE候補系列シフトの数量であり、
【数９９９】
2020043569.tif 001001
は第２の残りの系列シフトにおけるUE候補系列シフトの数量であるシフト系列番号決定モジュールと、
以下の式(1)、式(2)又は式(3)：
【数１０００】
2020043569.tif 001002
を使用することにより、前記シフト系列番号vに従ってサイクリックシフト値Cvを取得するように構成されたサイクリックシフト値決定モジュールであり、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数１００１】
2020043569.tif 001003
は第１の残りの系列シフトにおける第１のUE候補系列シフトのサイクリックシフト値であり、
【数１００２】
2020043569.tif 001004
は第２の残りの系列シフトにおける第１のUE候補系列シフトのサイクリックシフト値であるサイクリックシフト値決定モジュールと、
以下の式(36)：
【数１００３】
2020043569.tif 001005
を使用することにより、前記サイクリックシフト値Cvに従ってランダムアクセス系列
【数１００４】
2020043569.tif 001006
を生成するように構成されたランダムアクセス系列生成モジュールであり、NZCは系列長であり、ルートがuであるZC系列は
【数１００５】
2020043569.tif 001007
として規定され、
【数１００６】
2020043569.tif 001008
は、式(4)から(11)を満たすか、或いは、
【数１００７】
2020043569.tif 001009
は、式(12)から(19)を満たすか、或いは、
【数１００８】
2020043569.tif 001010
は、式(20)から(27)を満たすか、或いは、
【数１００９】
2020043569.tif 001011
は、式(28)から(35)を満たし、
【数１０１０】
2020043569.tif 001012
【数１０１１】
2020043569.tif 001013
【数１０１２】
2020043569.tif 001014
【数１０１３】
2020043569.tif 001015
であり、duはドップラー周波数シフトがPRACHサブキャリア間隔の１倍であるときの前記ランダムアクセス系列に対応するサイクリックシフトであるランダムアクセス系列生成モジュールと
を含むUE。
【請求項４７】
【数１０１４】
2020043569.tif 001016
の場合、前記サイクリックシフト値決定モジュールは、式(1)を使用することにより、前記サイクリックシフト値Cvを取得し、
【数１０１５】
2020043569.tif 001017
の場合、前記サイクリックシフト値決定モジュールは、式(2)を使用することにより、前記サイクリックシフト値Cvを取得し、
【数１０１６】
2020043569.tif 001018
の場合、前記サイクリックシフト値決定モジュールは、式(3)を使用することにより、前記サイクリックシフト値Cvを取得する、請求項４６に記載のUE。
【請求項４８】
【数１０１７】
2020043569.tif 001019
の場合、
【数１０１８】
2020043569.tif 001020
は、式(4)から(11)を満たし、
【数１０１９】
2020043569.tif 001021
の場合、
【数１０２０】
2020043569.tif 001022
は、式(12)から(19)を満たすか、或いは、
【数１０２１】
2020043569.tif 001023
の場合、
【数１０２２】
2020043569.tif 001024
は、式(4)から(11)を満たし、
【数１０２３】
2020043569.tif 001025
の場合、
【数１０２４】
2020043569.tif 001026
は、式(12)から(19)を満たし、
【数１０２５】
2020043569.tif 001027
の場合、
【数１０２６】
2020043569.tif 001028
は、式(20)から(27)を満たし、
【数１０２７】
2020043569.tif 001029
の場合、
【数１０２８】
2020043569.tif 001030
は、式(28)から(35)を満たすか、或いは、
【数１０２９】
2020043569.tif 001031
の場合、
【数１０３０】
2020043569.tif 001032
は、式(20)から(27)を満たし、
【数１０３１】
2020043569.tif 001033
の場合、
【数１０３２】
2020043569.tif 001034
は、式(28)から(35)を満たす、請求項４６又は４７に記載のUE。
【請求項４９】
請求項２５乃至３３のうちいずれか１項に記載の基地局と、請求項３４乃至４２のうちいずれか１項に記載のユーザ装置UEとを含むランダムアクセス系列生成システム。
【請求項５０】
請求項４３乃至４５のうちいずれか１項に記載の基地局と、請求項４６乃至４８のうちいずれか１項に記載のユーザ装置UEとを含むランダムアクセス系列生成システム。
【発明の詳細な説明】
【技術分野】
【０００１】
本発明の実施例は、通信技術に関し、特にランダムアクセス系列生成方法、デバイス及びシステムに関する。
【背景技術】
【０００２】
ユーザ装置（UE,  User  Equipment）が高速で移動するときにUEが基地局と通信する場合、UE及び基地局の受信端における信号周波数の間に変化が存在する。その変化はドップラー周波数シフトと呼ばれる。
【０００３】
従来技術では、ドップラー周波数シフトが物理ランダムアクセスチャネル（PRACH,  Physical  Random  Access  Channel）サブキャリア間隔の１倍より大きく且つPRACHサブキャリア間隔の２倍より小さいときに、複数のUEのランダムアクセス系列が相互に干渉するという問題を解決するために、目標設計が行われる。従来技術では、系列シフトがグループ化され、３つのパラメータ、すなわち、グループの数量、グループ内のUE候補系列シフトの数量、及びグループにとって不十分な最後の長さにおけるUE候補系列シフトの数量が決定され、シフト系列番号は、３つのパラメータに従って決定された間隔から選択される。
【０００４】
しかし、従来技術では、シフト系列番号が選択される範囲は極めて小さい。
【発明の概要】
【０００５】
本発明の実施例は、ランダムアクセス系列生成方法、デバイス及びシステムを提供する。
【０００６】
第１の態様によれば、本発明の実施例は、ランダムアクセス系列生成方法を提供し、
基地局により、通知シグナリングを生成するステップであり、通知シグナリングは、指示情報を含み、指示情報は、ユーザ装置UEに対して0から
【数１】
2020043569.tif 000003
の範囲からシフト系列番号を選択するように命令するために使用され、シフト系列番号は整数であり、nshiftRAはグループ内のUE候補系列シフトの数量であり、ngroupRAはグループの数量であり、
【数２】
2020043569.tif 000004
はグループにとって不十分な最後の長さにおけるUE候補系列シフトの数量であり、
【数３】
2020043569.tif 000005
は第１の残りの系列シフトにおけるUE候補系列シフトの数量であり、
【数４】
2020043569.tif 000006
は第２の残りの系列シフトにおけるUE候補系列シフトの数量であるステップと、
基地局により、通知シグナリングをUEに送信し、それにより、UEは、指示情報に従ってランダムアクセス系列を生成するステップと
を含む。
【０００７】
第１の態様を参照して、第１の態様の第１の可能な実現では、基地局により通知シグナリングをUEに送信した後に、方法は、
基地局により、0から
【数５】
2020043569.tif 000007
の範囲からシフト系列番号を選択するステップと、
基地局により、シフト系列番号に従ってサイクリックシフト値を取得するステップと、
基地局により、サイクリックシフト値に従って検出系列を生成し、検出系列を使用することにより、UEにより送信されたランダムアクセス系列を検出するステップであり、ランダムアクセス系列は、UEにより指示情報に従って生成されるステップと
を更に含む。
【０００８】
第１の態様の第１の可能な実現を参照して、第１の態様の第２の可能な実現では、基地局により、シフト系列番号に従ってサイクリックシフト値を取得するステップは、
基地局により、以下の式(1)、式(2)又は式(3)：
【数６】
2020043569.tif 000008
を使用することにより、シフト系列番号vに従ってサイクリックシフト値Cvを取得するステップであり、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数７】
2020043569.tif 000009
は第１の残りの系列シフトにおける第１のUE候補系列シフトのサイクリックシフト値であり、
【数８】
2020043569.tif 000010
は第２の残りの系列シフトにおける第１のUE候補系列シフトのサイクリックシフト値であるステップを含む。
【０００９】
第１の態様の第２の可能な実現を参照して、第１の態様の第３の可能な実現では、
【数９】
2020043569.tif 000011
の場合、基地局は、式(1)を使用することにより、サイクリックシフト値Cvを取得し、
【数１０】
2020043569.tif 000012
の場合、基地局は、式(2)を使用することにより、サイクリックシフト値Cvを取得し、
【数１１】
2020043569.tif 000013
の場合、基地局は、式(3)を使用することにより、サイクリックシフト値Cvを取得する。
【００１０】
第１の態様の第２又は第３の可能な実現を参照して、第１の態様の第４の可能な実現では、
【数１２】
2020043569.tif 000014
は、式(4)から(11)を満たし、
式(4)から(11)は、それぞれ、
【数１３】
2020043569.tif 000015
であり、duはドップラー周波数シフトがPRACHサブキャリア間隔の１倍であるときのランダムアクセス系列に対応するサイクリックシフトである。
【００１１】
第１の態様の第２又は第３の可能な実現を参照して、第１の態様の第５の可能な実現では、
【数１４】
2020043569.tif 000016
は、式(12)から(19)を満たし、
式(12)から(19)は、それぞれ、
【数１５】
2020043569.tif 000017
であり、duはドップラー周波数シフトがPRACHサブキャリア間隔の１倍であるときのランダムアクセス系列に対応するサイクリックシフトである。
【００１２】
第１の態様の第２又は第３の可能な実現を参照して、第１の態様の第６の可能な実現では、
【数１６】
2020043569.tif 000018
は、式(20)から(27)を満たし、
式(20)から(27)は、それぞれ、
【数１７】
2020043569.tif 000019
であり、duはドップラー周波数シフトがPRACHサブキャリア間隔の１倍であるときのランダムアクセス系列に対応するサイクリックシフトである。
【００１３】
第１の態様の第２又は第３の可能な実現を参照して、第１の態様の第７の可能な実現では、
【数１８】
2020043569.tif 000020
は、式(28)から(35)を満たし、
式(28)から(35)は、それぞれ、
【数１９】
2020043569.tif 000021
であり、duはドップラー周波数シフトがPRACHサブキャリア間隔の１倍であるときのランダムアクセス系列に対応するサイクリックシフトである。
【００１４】
第１の態様の第４から第７の可能な実現のうちいずれか１つを参照して、第１の態様の第８の可能な実現では、
【数２０】
2020043569.tif 000022
の場合、
【数２１】
2020043569.tif 000023
は、式(4)から(11)を満たし、
【数２２】
2020043569.tif 000024
の場合、
【数２３】
2020043569.tif 000025
は、式(12)から(19)を満たすか、或いは、
【数２４】
2020043569.tif 000026
の場合、
【数２５】
2020043569.tif 000027
は、式(4)から(11)を満たし、
【数２６】
2020043569.tif 000028
の場合、
【数２７】
2020043569.tif 000029
は、式(12)から(19)を満たし、
【数２８】
2020043569.tif 000030
の場合、
【数２９】
2020043569.tif 000031
は、式(20)から(27)を満たし、
【数３０】
2020043569.tif 000032
の場合、
【数３１】
2020043569.tif 000033
は、式(28)から(35)を満たすか、或いは、
【数３２】
2020043569.tif 000034
の場合、
【数３３】
2020043569.tif 000035
は、式(20)から(27)を満たし、
【数３４】
2020043569.tif 000036
の場合、
【数３５】
2020043569.tif 000037
は、式(28)から(35)を満たす。
【００１５】
第２の態様によれば、本発明の実施例は、ランダムアクセス系列生成方法を提供し、
ユーザ装置UEにより、基地局から通知シグナリングを受信するステップであり、通知シグナリングは、指示情報を含み、指示情報は、UEに対して0から
【数３６】
2020043569.tif 000038
の範囲からシフト系列番号を選択するように命令するために使用され、シフト系列番号は整数であり、nshiftRAはグループ内のUE候補系列シフトの数量であり、ngroupRAはグループの数量であり、
【数３７】
2020043569.tif 000039
はグループにとって不十分な最後の長さにおけるUE候補系列シフトの数量であり、
【数３８】
2020043569.tif 000040
は第１の残りの系列シフトにおけるUE候補系列シフトの数量であり、
【数３９】
2020043569.tif 000041
は第２の残りの系列シフトにおけるUE候補系列シフトの数量であるステップと、
UEにより、通知シグナリングに従って0から
【数４０】
2020043569.tif 000042
の範囲からシフト系列番号を選択するステップと、
UEにより、シフト系列番号に従ってサイクリックシフト値を取得するステップと、
UEにより、サイクリックシフト値に従ってランダムアクセス系列を生成するステップと
を含む。
【００１６】
第２の態様を参照して、第２の態様の第１の可能な実現では、UEにより、シフト系列番号に従ってサイクリックシフト値を取得するステップは、
UEにより、以下の式(1)、式(2)又は式(3)：
【数４１】
2020043569.tif 000043
を使用することにより、シフト系列番号vに従ってサイクリックシフト値Cvを取得するステップであり、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数４２】
2020043569.tif 000044
は第１の残りの系列シフトにおける第１のUE候補系列シフトのサイクリックシフト値であり、
【数４３】
2020043569.tif 000045
は第２の残りの系列シフトにおける第１のUE候補系列シフトのサイクリックシフト値であるステップを含む。
【００１７】
第２の態様の第１の可能な実現を参照して、第２の態様の第２の可能な実現では、
【数４４】
2020043569.tif 000046
の場合、UEは、式(1)を使用することにより、サイクリックシフト値Cvを取得し、
【数４５】
2020043569.tif 000047
の場合、UEは、式(2)を使用することにより、サイクリックシフト値Cvを取得し、
【数４６】
2020043569.tif 000048
の場合、UEは、式(3)を使用することにより、サイクリックシフト値Cvを取得する。
【００１８】
第２の態様の第１又は第２の可能な実現を参照して、第２の態様の第３の可能な実現では、
【数４７】
2020043569.tif 000049
は、式(4)から(11)を満たし、
式(4)から(11)は、それぞれ、
【数４８】
2020043569.tif 000050
であり、duはドップラー周波数シフトがPRACHサブキャリア間隔の１倍であるときのランダムアクセス系列に対応するサイクリックシフトである。
【００１９】
第２の態様の第１又は第２の可能な実現を参照して、第２の態様の第４の可能な実現では、
【数４９】
2020043569.tif 000051
は、式(12)から(19)を満たし、
式(12)から(19)は、それぞれ、
【数５０】
2020043569.tif 000052
であり、duはドップラー周波数シフトがPRACHサブキャリア間隔の１倍であるときのランダムアクセス系列に対応するサイクリックシフトである。
【００２０】
第２の態様の第１又は第２の可能な実現を参照して、第２の態様の第５の可能な実現では、
【数５１】
2020043569.tif 000053
は、式(20)から(27)を満たし、
式(20)から(27)は、それぞれ、
【数５２】
2020043569.tif 000054
であり、duはドップラー周波数シフトがPRACHサブキャリア間隔の１倍であるときのランダムアクセス系列に対応するサイクリックシフトである。
【００２１】
第２の態様の第１又は第２の可能な実現を参照して、第２の態様の第６の可能な実現では、
【数５３】
2020043569.tif 000055
は、式(28)から(35)を満たし、
式(28)から(35)は、それぞれ、
【数５４】
2020043569.tif 000056
であり、duはドップラー周波数シフトがPRACHサブキャリア間隔の１倍であるときのランダムアクセス系列に対応するサイクリックシフトである。
【００２２】
第２の態様の第３から第６の可能な実現のうちいずれか１つを参照して、第２の態様の第７の可能な実現では、
【数５５】
2020043569.tif 000057
の場合、
【数５６】
2020043569.tif 000058
は、式(4)から(11)を満たし、
【数５７】
2020043569.tif 000059
の場合、
【数５８】
2020043569.tif 000060
は、式(12)から(19)を満たすか、或いは、
【数５９】
2020043569.tif 000061
の場合、
【数６０】
2020043569.tif 000062
は、式(4)から(11)を満たし、
【数６１】
2020043569.tif 000063
の場合、
【数６２】
2020043569.tif 000064
は、式(12)から(19)を満たし、
【数６３】
2020043569.tif 000065
の場合、
【数６４】
2020043569.tif 000066
は、式(20)から(27)を満たし、
【数６５】
2020043569.tif 000067
の場合、
【数６６】
2020043569.tif 000068
は、式(28)から(35)を満たすか、或いは、
【数６７】
2020043569.tif 000069
の場合、
【数６８】
2020043569.tif 000070
は、式(20)から(27)を満たし、
【数６９】
2020043569.tif 000071
の場合、
【数７０】
2020043569.tif 000072
は、式(28)から(35)を満たす。
【００２３】
第２の態様又は第２の態様の第１から第７の可能な実現のうちいずれか１つを参照して、第２の態様の第８の可能な実現では、UEにより、サイクリックシフト値に従ってランダムアクセス系列を生成するステップは、
UEにより、以下の式(36)：
【数７１】
2020043569.tif 000073
を使用することにより、サイクリックシフト値Cvに従ってランダムアクセス系列
【数７２】
2020043569.tif 000074
を生成するステップであり、NZCは系列長であり、ルートがuであるZC系列は
【数７３】
2020043569.tif 000075
として規定されるステップを含む。
【００２４】
第３の態様によれば、本発明の実施例は、ランダムアクセス系列生成方法を提供し、
基地局により、0から
【数７４】
2020043569.tif 000076
の範囲からシフト系列番号vを選択するステップであり、vは整数であり、nshiftRAはグループ内のユーザ装置UE候補系列シフトの数量であり、ngroupRAはグループの数量であり、
【数７５】
2020043569.tif 000077
はグループにとって不十分な最後の長さにおけるUE候補系列シフトの数量であり、
【数７６】
2020043569.tif 000078
は第１の残りの系列シフトにおけるUE候補系列シフトの数量であり、
【数７７】
2020043569.tif 000079
は第２の残りの系列シフトにおけるUE候補系列シフトの数量であるステップと、
基地局により、以下の式(1)、式(2)又は式(3)：
【数７８】
2020043569.tif 000080
を使用することにより、シフト系列番号vに従ってサイクリックシフト値Cvを取得するステップであり、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数７９】
2020043569.tif 000081
は第１の残りの系列シフトにおける第１のUE候補系列シフトのサイクリックシフト値であり、
【数８０】
2020043569.tif 000082
は第２の残りの系列シフトにおける第１のUE候補系列シフトのサイクリックシフト値であり、
【数８１】
2020043569.tif 000083
は、式(4)から(11)を満たすか、或いは、
【数８２】
2020043569.tif 000084
は、式(12)から(19)を満たすか、或いは、
【数８３】
2020043569.tif 000085
は、式(20)から(27)を満たすか、或いは、
【数８４】
2020043569.tif 000086
は、式(28)から(35)を満たし、
【数８５】
2020043569.tif 000087
【数８６】
2020043569.tif 000088
【数８７】
2020043569.tif 000089
【数８８】
2020043569.tif 000090
であり、NZCは系列長であり、duはドップラー周波数シフトがPRACHサブキャリア間隔の１倍であるときのランダムアクセス系列に対応するサイクリックシフトであるステップと
を含む。
【００２５】
第３の態様を参照して、第３の態様の第１の可能な実現では、
【数８９】
2020043569.tif 000091
の場合、基地局は、式(1)を使用することにより、サイクリックシフト値Cvを取得し、
【数９０】
2020043569.tif 000092
の場合、基地局は、式(2)を使用することにより、サイクリックシフト値Cvを取得し、
【数９１】
2020043569.tif 000093
の場合、基地局は、式(3)を使用することにより、サイクリックシフト値Cvを取得する。
【００２６】
第３の態様又は第３の態様の第１の可能な実現を参照して、第３の態様の第２の可能な実現では、
【数９２】
2020043569.tif 000094
の場合、
【数９３】
2020043569.tif 000095
は、式(4)から(11)を満たし、
【数９４】
2020043569.tif 000096
の場合、
【数９５】
2020043569.tif 000097
は、式(12)から(19)を満たすか、或いは、
【数９６】
2020043569.tif 000098
の場合、
【数９７】
2020043569.tif 000099
は、式(4)から(11)を満たし、
【数９８】
2020043569.tif 000100
の場合、
【数９９】
2020043569.tif 000101
は、式(12)から(19)を満たし、
【数１００】
2020043569.tif 000102
の場合、
【数１０１】
2020043569.tif 000103
は、式(20)から(27)を満たし、
【数１０２】
2020043569.tif 000104
の場合、
【数１０３】
2020043569.tif 000105
は、式(28)から(35)を満たすか、或いは、
【数１０４】
2020043569.tif 000106
の場合、
【数１０５】
2020043569.tif 000107
は、式(20)から(27)を満たし、
【数１０６】
2020043569.tif 000108
の場合、
【数１０７】
2020043569.tif 000109
は、式(28)から(35)を満たす。
【００２７】
第４の態様によれば、本発明の実施例は、ランダムアクセス系列生成方法を提供し、
ユーザ装置UEにより、0から
【数１０８】
2020043569.tif 000110
の範囲からシフト系列番号vを選択するステップであり、vは整数であり、nshiftRAはグループ内のUE候補系列シフトの数量であり、ngroupRAはグループの数量であり、
【数１０９】
2020043569.tif 000111
はグループにとって不十分な最後の長さにおけるUE候補系列シフトの数量であり、
【数１１０】
2020043569.tif 000112
は第１の残りの系列シフトにおけるUE候補系列シフトの数量であり、
【数１１１】
2020043569.tif 000113
は第２の残りの系列シフトにおけるUE候補系列シフトの数量であるステップと、
UEにより、以下の式(1)、式(2)又は式(3)：
【数１１２】
2020043569.tif 000114
を使用することにより、シフト系列番号vに従ってサイクリックシフト値Cvを取得するステップであり、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数１１３】
2020043569.tif 000115
は第１の残りの系列シフトにおける第１のUE候補系列シフトのサイクリックシフト値であり、
【数１１４】
2020043569.tif 000116
は第２の残りの系列シフトにおける第１のUE候補系列シフトのサイクリックシフト値であるステップと、
UEにより、以下の式(36)：
【数１１５】
2020043569.tif 000117
を使用することにより、サイクリックシフト値Cvに従ってランダムアクセス系列
【数１１６】
2020043569.tif 000118
を生成するステップであり、NZCは系列長であり、ルートがuであるZC系列は
【数１１７】
2020043569.tif 000119
として規定され、
【数１１８】
2020043569.tif 000120
は、式(4)から(11)を満たすか、或いは、
【数１１９】
2020043569.tif 000121
は、式(12)から(19)を満たすか、或いは、
【数１２０】
2020043569.tif 000122
は、式(20)から(27)を満たすか、或いは、
【数１２１】
2020043569.tif 000123
は、式(28)から(35)を満たし、
【数１２２】
2020043569.tif 000124
【数１２３】
2020043569.tif 000125
【数１２４】
2020043569.tif 000126
【数１２５】
2020043569.tif 000127
であり、duはドップラー周波数シフトがPRACHサブキャリア間隔の１倍であるときのランダムアクセス系列に対応するサイクリックシフトであるステップと
を含む。
【００２８】
第４の態様を参照して、第４の態様の第１の可能な実現では、
【数１２６】
2020043569.tif 000128
の場合、UEは、式(1)を使用することにより、サイクリックシフト値Cvを取得し、
【数１２７】
2020043569.tif 000129
の場合、UEは、式(2)を使用することにより、サイクリックシフト値Cvを取得し、
【数１２８】
2020043569.tif 000130
の場合、UEは、式(3)を使用することにより、サイクリックシフト値Cvを取得する。
【００２９】
第４の態様又は第４の態様の第１の可能な実現を参照して、第４の態様の第２の可能な実現では、
【数１２９】
2020043569.tif 000131
の場合、
【数１３０】
2020043569.tif 000132
は、式(4)から(11)を満たし、
【数１３１】
2020043569.tif 000133
の場合、
【数１３２】
2020043569.tif 000134
は、式(12)から(19)を満たすか、或いは、
【数１３３】
2020043569.tif 000135
の場合、
【数１３４】
2020043569.tif 000136
は、式(4)から(11)を満たし、
【数１３５】
2020043569.tif 000137
の場合、
【数１３６】
2020043569.tif 000138
は、式(12)から(19)を満たし、
【数１３７】
2020043569.tif 000139
の場合、
【数１３８】
2020043569.tif 000140
は、式(20)から(27)を満たし、
【数１３９】
2020043569.tif 000141
の場合、
【数１４０】
2020043569.tif 000142
は、式(28)から(35)を満たすか、或いは、
【数１４１】
2020043569.tif 000143
の場合、
【数１４２】
2020043569.tif 000144
は、式(20)から(27)を満たし、
【数１４３】
2020043569.tif 000145
の場合、
【数１４４】
2020043569.tif 000146
は、式(28)から(35)を満たす。
【００３０】
第５の態様によれば、本発明の実施例は、基地局を提供し、
通知シグナリングを生成するように構成された生成モジュールであり、通知シグナリングは、指示情報を含み、指示情報は、ユーザ装置UEに対して0から
【数１４５】
2020043569.tif 000147
の範囲からシフト系列番号を選択するように命令するために使用され、シフト系列番号は整数であり、nshiftRAはグループ内のUE候補系列シフトの数量であり、ngroupRAはグループの数量であり、
【数１４６】
2020043569.tif 000148
はグループにとって不十分な最後の長さにおけるUE候補系列シフトの数量であり、
【数１４７】
2020043569.tif 000149
は第１の残りの系列シフトにおけるUE候補系列シフトの数量であり、
【数１４８】
2020043569.tif 000150
は第２の残りの系列シフトにおけるUE候補系列シフトの数量である生成モジュールと、
通知シグナリングをUEに送信するように構成され、それにより、UEは、指示情報に従ってランダムアクセス系列を生成する送信モジュールと
を含む。
【００３１】
第５の態様を参照して、第５の態様の第１の可能な実現では、基地局は、
0から
【数１４９】
2020043569.tif 000151
の範囲からシフト系列番号を選択するように構成されたシフト系列番号決定モジュールと、
シフト系列番号に従ってサイクリックシフト値を取得するように構成されたサイクリックシフト値決定モジュールと、
サイクリックシフト値に従って検出系列を生成し、検出系列を使用することにより、UEにより送信されたランダムアクセス系列を検出するように構成されたランダムアクセス系列検出モジュールであり、ランダムアクセス系列は、UEにより指示情報に従って生成されるランダムアクセス系列検出モジュールと
を更に含む。
【００３２】
第５の態様の第１の可能な実現を参照して、第５の態様の第２の可能な実現では、サイクリックシフト値決定モジュールは、
以下の式(1)、式(2)又は式(3)：
【数１５０】
2020043569.tif 000152
を使用することにより、シフト系列番号vに従ってサイクリックシフト値Cvを取得するように具体的に構成され、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数１５１】
2020043569.tif 000153
は第１の残りの系列シフトにおける第１のUE候補系列シフトのサイクリックシフト値であり、
【数１５２】
2020043569.tif 000154
は第２の残りの系列シフトにおける第１のUE候補系列シフトのサイクリックシフト値である。
【００３３】
第５の態様の第２の可能な実現を参照して、第５の態様の第３の可能な実現では、
【数１５３】
2020043569.tif 000155
の場合、サイクリックシフト値決定モジュールは、式(1)を使用することにより、サイクリックシフト値Cvを取得し、
【数１５４】
2020043569.tif 000156
の場合、サイクリックシフト値決定モジュールは、式(2)を使用することにより、サイクリックシフト値Cvを取得し、
【数１５５】
2020043569.tif 000157
の場合、サイクリックシフト値決定モジュールは、式(3)を使用することにより、サイクリックシフト値Cvを取得する。
【００３４】
第５の態様の第２又は第３の可能な実現を参照して、第５の態様の第４の可能な実現では、
【数１５６】
2020043569.tif 000158
は、式(4)から(11)を満たし、
式(4)から(11)は、それぞれ、
【数１５７】
2020043569.tif 000159
であり、duはドップラー周波数シフトがPRACHサブキャリア間隔の１倍であるときのランダムアクセス系列に対応するサイクリックシフトである。
【００３５】
第５の態様の第２又は第３の可能な実現を参照して、第５の態様の第５の可能な実現では、
【数１５８】
2020043569.tif 000160
は、式(12)から(19)を満たし、
式(12)から(19)は、それぞれ、
【数１５９】
2020043569.tif 000161
であり、duはドップラー周波数シフトがPRACHサブキャリア間隔の１倍であるときのランダムアクセス系列に対応するサイクリックシフトである。
【００３６】
第５の態様の第２又は第３の可能な実現を参照して、第５の態様の第６の可能な実現では、
【数１６０】
2020043569.tif 000162
は、式(20)から(27)を満たし、
式(20)から(27)は、それぞれ、
【数１６１】
2020043569.tif 000163
であり、duはドップラー周波数シフトがPRACHサブキャリア間隔の１倍であるときのランダムアクセス系列に対応するサイクリックシフトである。
【００３７】
第５の態様の第２又は第３の可能な実現を参照して、第５の態様の第７の可能な実現では、
【数１６２】
2020043569.tif 000164
は、式(28)から(35)を満たし、
式(28)から(35)は、それぞれ、
【数１６３】
2020043569.tif 000165
であり、duはドップラー周波数シフトがPRACHサブキャリア間隔の１倍であるときのランダムアクセス系列に対応するサイクリックシフトである。
【００３８】
第５の態様の第４から第７の可能な実現のうちいずれか１つを参照して、第５の態様の第８の可能な実現では、
【数１６４】
2020043569.tif 000166
の場合、
【数１６５】
2020043569.tif 000167
は、式(4)から(11)を満たし、
【数１６６】
2020043569.tif 000168
の場合、
【数１６７】
2020043569.tif 000169
は、式(12)から(19)を満たすか、或いは、
【数１６８】
2020043569.tif 000170
の場合、
【数１６９】
2020043569.tif 000171
は、式(4)から(11)を満たし、
【数１７０】
2020043569.tif 000172
の場合、
【数１７１】
2020043569.tif 000173
は、式(12)から(19)を満たし、
【数１７２】
2020043569.tif 000174
の場合、
【数１７３】
2020043569.tif 000175
は、式(20)から(27)を満たし、
【数１７４】
2020043569.tif 000176
の場合、
【数１７５】
2020043569.tif 000177
は、式(28)から(35)を満たすか、或いは、
【数１７６】
2020043569.tif 000178
の場合、
【数１７７】
2020043569.tif 000179
は、式(20)から(27)を満たし、
【数１７８】
2020043569.tif 000180
の場合、
【数１７９】
2020043569.tif 000181
は、式(28)から(35)を満たす。
【００３９】
第６の態様によれば、本発明の実施例は、ユーザ装置UEを提供し、
基地局から通知シグナリングを受信するように構成された受信モジュールであり、通知シグナリングは、指示情報を含み、指示情報は、UEに対して0から
【数１８０】
2020043569.tif 000182
の範囲からシフト系列番号を選択するように命令するために使用され、シフト系列番号は整数であり、nshiftRAはグループ内のUE候補系列シフトの数量であり、ngroupRAはグループの数量であり、
【数１８１】
2020043569.tif 000183
はグループにとって不十分な最後の長さにおけるUE候補系列シフトの数量であり、
【数１８２】
2020043569.tif 000184
は第１の残りの系列シフトにおけるUE候補系列シフトの数量であり、
【数１８３】
2020043569.tif 000185
は第２の残りの系列シフトにおけるUE候補系列シフトの数量である受信モジュールと、
通知シグナリングに従って0から
【数１８４】
2020043569.tif 000186
の範囲からシフト系列番号を選択するように構成されたシフト系列番号決定モジュールと、
シフト系列番号に従ってサイクリックシフト値を取得するように構成されたサイクリックシフト値決定モジュールと、
サイクリックシフト値に従ってランダムアクセス系列を生成するように構成されたランダムアクセス系列生成モジュールと
を含む。
【００４０】
第６の態様を参照して、第６の態様の第１の可能な実現では、サイクリックシフト値決定モジュールは、
以下の式(1)、式(2)又は式(3)：
【数１８５】
2020043569.tif 000187
を使用することにより、シフト系列番号vに従ってサイクリックシフト値Cvを取得するように具体的に構成され、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数１８６】
2020043569.tif 000188
は第１の残りの系列シフトにおける第１のUE候補系列シフトのサイクリックシフト値であり、
【数１８７】
2020043569.tif 000189
は第２の残りの系列シフトにおける第１のUE候補系列シフトのサイクリックシフト値である。
【００４１】
第６の態様の第１の可能な実現を参照して、第６の態様の第２の可能な実現では、
【数１８８】
2020043569.tif 000190
の場合、サイクリックシフト値決定モジュールは、式(1)を使用することにより、サイクリックシフト値Cvを取得し、
【数１８９】
2020043569.tif 000191
の場合、サイクリックシフト値決定モジュールは、式(2)を使用することにより、サイクリックシフト値Cvを取得し、
【数１９０】
2020043569.tif 000192
の場合、サイクリックシフト値決定モジュールは、式(3)を使用することにより、サイクリックシフト値Cvを取得する。
【００４２】
第６の態様の第１又は第２の可能な実現を参照して、第６の態様の第３の可能な実現では、
【数１９１】
2020043569.tif 000193
は、式(4)から(11)を満たし、
式(4)から(11)は、それぞれ、
【数１９２】
2020043569.tif 000194
であり、duはドップラー周波数シフトがPRACHサブキャリア間隔の１倍であるときのランダムアクセス系列に対応するサイクリックシフトである。
【００４３】
第６の態様の第１又は第２の可能な実現を参照して、第６の態様の第４の可能な実現では、
【数１９３】
2020043569.tif 000195
は、式(12)から(19)を満たし、
式(12)から(19)は、それぞれ、
【数１９４】
2020043569.tif 000196
であり、duはドップラー周波数シフトがPRACHサブキャリア間隔の１倍であるときのランダムアクセス系列に対応するサイクリックシフトである。
【００４４】
第６の態様の第１又は第２の可能な実現を参照して、第６の態様の第５の可能な実現では、
【数１９５】
2020043569.tif 000197
は、式(20)から(27)を満たし、
式(20)から(27)は、それぞれ、
【数１９６】
2020043569.tif 000198
であり、duはドップラー周波数シフトがPRACHサブキャリア間隔の１倍であるときのランダムアクセス系列に対応するサイクリックシフトである。
【００４５】
第６の態様の第１又は第２の可能な実現を参照して、第２の態様の第６の可能な実現では、
【数１９７】
2020043569.tif 000199
は、式(28)から(35)を満たし、
式(28)から(35)は、それぞれ、
【数１９８】
2020043569.tif 000200
であり、duはドップラー周波数シフトがPRACHサブキャリア間隔の１倍であるときのランダムアクセス系列に対応するサイクリックシフトである。
【００４６】
第６の態様の第３から第６の可能な実現のうちいずれか１つを参照して、第６の態様の第７の可能な実現では、
【数１９９】
2020043569.tif 000201
の場合、
【数２００】
2020043569.tif 000202
は、式(4)から(11)を満たし、
【数２０１】
2020043569.tif 000203
の場合、
【数２０２】
2020043569.tif 000204
は、式(12)から(19)を満たすか、或いは、
【数２０３】
2020043569.tif 000205
の場合、
【数２０４】
2020043569.tif 000206
は、式(4)から(11)を満たし、
【数２０５】
2020043569.tif 000207
の場合、
【数２０６】
2020043569.tif 000208
は、式(12)から(19)を満たし、
【数２０７】
2020043569.tif 000209
の場合、
【数２０８】
2020043569.tif 000210
は、式(20)から(27)を満たし、
【数２０９】
2020043569.tif 000211
の場合、
【数２１０】
2020043569.tif 000212
は、式(28)から(35)を満たすか、或いは、
【数２１１】
2020043569.tif 000213
の場合、
【数２１２】
2020043569.tif 000214
は、式(20)から(27)を満たし、
【数２１３】
2020043569.tif 000215
の場合、
【数２１４】
2020043569.tif 000216
は、式(28)から(35)を満たす。
【００４７】
第６の態様又は第６の態様の第１から第７の可能な実現のうちいずれか１つを参照して、第６の態様の第８の可能な実現では、ランダムアクセス系列生成モジュールは、
以下の式(36)：
【数２１５】
2020043569.tif 000217
を使用することにより、サイクリックシフト値Cvに従ってランダムアクセス系列
【数２１６】
2020043569.tif 000218
を生成するように具体的に構成され、NZCは系列長であり、ルートがuであるZC系列は
【数２１７】
2020043569.tif 000219
として規定される。
【００４８】
第７の態様によれば、本発明の実施例は、基地局を提供し、
0から
【数２１８】
2020043569.tif 000220
の範囲からシフト系列番号vを選択するように構成されたシフト系列番号決定モジュールであり、vは整数であり、nshiftRAはグループ内のユーザ装置UE候補系列シフトの数量であり、ngroupRAはグループの数量であり、
【数２１９】
2020043569.tif 000221
はグループにとって不十分な最後の長さにおけるUE候補系列シフトの数量であり、
【数２２０】
2020043569.tif 000222
は第１の残りの系列シフトにおけるUE候補系列シフトの数量であり、
【数２２１】
2020043569.tif 000223
は第２の残りの系列シフトにおけるUE候補系列シフトの数量であるシフト系列番号決定モジュールと、
以下の式(1)、式(2)又は式(3)：
【数２２２】
2020043569.tif 000224
を使用することにより、シフト系列番号vに従ってサイクリックシフト値Cvを取得するように構成されたサイクリックシフト値決定モジュールであり、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数２２３】
2020043569.tif 000225
は第１の残りの系列シフトにおける第１のUE候補系列シフトのサイクリックシフト値であり、
【数２２４】
2020043569.tif 000226
は第２の残りの系列シフトにおける第１のUE候補系列シフトのサイクリックシフト値であり、
【数２２５】
2020043569.tif 000227
は、式(4)から(11)を満たすか、或いは、
【数２２６】
2020043569.tif 000228
は、式(12)から(19)を満たすか、或いは、
【数２２７】
2020043569.tif 000229
は、式(20)から(27)を満たすか、或いは、
【数２２８】
2020043569.tif 000230
は、式(28)から(35)を満たし、
【数２２９】
2020043569.tif 000231
【数２３０】
2020043569.tif 000232
【数２３１】
2020043569.tif 000233
【数２３２】
2020043569.tif 000234
であり、NZCは系列長であり、duはドップラー周波数シフトがPRACHサブキャリア間隔の１倍であるときのランダムアクセス系列に対応するサイクリックシフトであるサイクリックシフト値決定モジュールと
を含む。
【００４９】
第７の態様を参照して、第７の態様の第１の可能な実現では、
【数２３３】
2020043569.tif 000235
の場合、サイクリックシフト値決定モジュールは、式(1)を使用することにより、サイクリックシフト値Cvを取得し、
【数２３４】
2020043569.tif 000236
の場合、サイクリックシフト値決定モジュールは、式(2)を使用することにより、サイクリックシフト値Cvを取得し、
【数２３５】
2020043569.tif 000237
の場合、サイクリックシフト値決定モジュールは、式(3)を使用することにより、サイクリックシフト値Cvを取得する。
【００５０】
第７の態様又は第７の態様の第１の可能な実現を参照して、第７の態様の第２の可能な実現では、
【数２３６】
2020043569.tif 000238
の場合、
【数２３７】
2020043569.tif 000239
は、式(4)から(11)を満たし、
【数２３８】
2020043569.tif 000240
の場合、
【数２３９】
2020043569.tif 000241
は、式(12)から(19)を満たすか、或いは、
【数２４０】
2020043569.tif 000242
の場合、
【数２４１】
2020043569.tif 000243
は、式(4)から(11)を満たし、
【数２４２】
2020043569.tif 000244
の場合、
【数２４３】
2020043569.tif 000245
は、式(12)から(19)を満たし、
【数２４４】
2020043569.tif 000246
の場合、
【数２４５】
2020043569.tif 000247
は、式(20)から(27)を満たし、
【数２４６】
2020043569.tif 000248
の場合、
【数２４７】
2020043569.tif 000249
は、式(28)から(35)を満たすか、或いは、
【数２４８】
2020043569.tif 000250
の場合、
【数２４９】
2020043569.tif 000251
は、式(20)から(27)を満たし、
【数２５０】
2020043569.tif 000252
の場合、
【数２５１】
2020043569.tif 000253
は、式(28)から(35)を満たす。
【００５１】
第８の態様によれば、本発明の実施例は、ユーザ装置UEを提供し、
0から
【数２５２】
2020043569.tif 000254
の範囲からシフト系列番号vを選択するように構成されたシフト系列番号決定モジュールであり、vは整数であり、nshiftRAはグループ内のUE候補系列シフトの数量であり、ngroupRAはグループの数量であり、
【数２５３】
2020043569.tif 000255
はグループにとって不十分な最後の長さにおけるUE候補系列シフトの数量であり、
【数２５４】
2020043569.tif 000256
は第１の残りの系列シフトにおけるUE候補系列シフトの数量であり、
【数２５５】
2020043569.tif 000257
は第２の残りの系列シフトにおけるUE候補系列シフトの数量であるシフト系列番号決定モジュールと、
以下の式(1)、式(2)又は式(3)：
【数２５６】
2020043569.tif 000258
を使用することにより、シフト系列番号vに従ってサイクリックシフト値Cvを取得するように構成されたサイクリックシフト値決定モジュールであり、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数２５７】
2020043569.tif 000259
は第１の残りの系列シフトにおける第１のUE候補系列シフトのサイクリックシフト値であり、
【数２５８】
2020043569.tif 000260
は第２の残りの系列シフトにおける第１のUE候補系列シフトのサイクリックシフト値であるサイクリックシフト値決定モジュールと、
以下の式(36)：
【数２５９】
2020043569.tif 000261
を使用することにより、サイクリックシフト値Cvに従ってランダムアクセス系列
【数２６０】
2020043569.tif 000262
を生成するように構成されたランダムアクセス系列生成モジュールであり、NZCは系列長であり、ルートがuであるZC系列は
【数２６１】
2020043569.tif 000263
として規定され、
【数２６２】
2020043569.tif 000264
は、式(4)から(11)を満たすか、或いは、
【数２６３】
2020043569.tif 000265
は、式(12)から(19)を満たすか、或いは、
【数２６４】
2020043569.tif 000266
は、式(20)から(27)を満たすか、或いは、
【数２６５】
2020043569.tif 000267
は、式(28)から(35)を満たし、
【数２６６】
2020043569.tif 000268
【数２６７】
2020043569.tif 000269
【数２６８】
2020043569.tif 000270
【数２６９】
2020043569.tif 000271
であり、duはドップラー周波数シフトがPRACHサブキャリア間隔の１倍であるときのランダムアクセス系列に対応するサイクリックシフトであるランダムアクセス系列生成モジュールと
を含む。
【００５２】
第８の態様を参照して、第８の態様の第１の可能な実現では、
【数２７０】
2020043569.tif 000272
の場合、サイクリックシフト値決定モジュールは、式(1)を使用することにより、サイクリックシフト値Cvを取得し、
【数２７１】
2020043569.tif 000273
の場合、サイクリックシフト値決定モジュールは、式(2)を使用することにより、サイクリックシフト値Cvを取得し、
【数２７２】
2020043569.tif 000274
の場合、サイクリックシフト値決定モジュールは、式(3)を使用することにより、サイクリックシフト値Cvを取得する。
【００５３】
第８の態様又は第８の態様の第１の可能な実現を参照して、第８の態様の第２の可能な実現では、
【数２７３】
2020043569.tif 000275
の場合、
【数２７４】
2020043569.tif 000276
は、式(4)から(11)を満たし、
【数２７５】
2020043569.tif 000277
の場合、
【数２７６】
2020043569.tif 000278
は、式(12)から(19)を満たすか、或いは、
【数２７７】
2020043569.tif 000279
の場合、
【数２７８】
2020043569.tif 000280
は、式(4)から(11)を満たし、
【数２７９】
2020043569.tif 000281
の場合、
【数２８０】
2020043569.tif 000282
は、式(12)から(19)を満たし、
【数２８１】
2020043569.tif 000283
の場合、
【数２８２】
2020043569.tif 000284
は、式(20)から(27)を満たし、
【数２８３】
2020043569.tif 000285
の場合、
【数２８４】
2020043569.tif 000286
は、式(28)から(35)を満たすか、或いは、
【数２８５】
2020043569.tif 000287
の場合、
【数２８６】
2020043569.tif 000288
は、式(20)から(27)を満たし、
【数２８７】
2020043569.tif 000289
の場合、
【数２８８】
2020043569.tif 000290
は、式(28)から(35)を満たす。
【００５４】
第９の態様によれば、本発明の実施例は、第５の態様又は第５の態様の第１から第８の可能な実現のうちいずれか１つに記載の基地局と、第６の態様又は第６の態様の第１から第８の可能な実現のうちいずれか１つに記載のユーザ装置UEとを含むランダムアクセス系列生成システムを提供する。
【００５５】
第１０の態様によれば、本発明の実施例は、第７の態様又は第７の態様の第１から第２の可能な実現のうちいずれか１つに記載の基地局と、第８の態様又は第８の態様の第１から第２の可能な実現のうちいずれか１つに記載のユーザ装置UEとを含むランダムアクセス系列生成システムを提供する。
【００５６】
本発明の実施例におけるランダムアクセス系列生成方法、デバイス及びシステムによれば、ランダムアクセス系列生成方法は、基地局により、通知シグナリングを生成するステップであり、通知シグナリングは、指示情報を含み、指示情報は、ユーザ装置UEに対して0から
【数２８９】
2020043569.tif 000291
の範囲からシフト系列番号を選択するように命令するために使用され、シフト系列番号は整数であり、nshiftRAはグループ内のUE候補系列シフトの数量であり、ngroupRAはグループの数量であり、
【数２９０】
2020043569.tif 000292
はグループにとって不十分な最後の長さにおけるUE候補系列シフトの数量であり、
【数２９１】
2020043569.tif 000293
は第１の残りの系列シフトにおけるUE候補系列シフトの数量であり、
【数２９２】
2020043569.tif 000294
は第２の残りの系列シフトにおけるUE候補系列シフトの数量であるステップと、基地局により、通知シグナリングをUEに送信し、それにより、UEは、指示情報に従ってランダムアクセス系列を生成するステップとを含む。
【図面の簡単な説明】
【００５７】
本発明の実施例又は従来技術における技術的解決策をより明確に説明するために、以下に、実施例又は従来技術を説明するために必要な添付図面を簡単に説明する。明らかに、以下の説明における添付図面は、本発明のいくつかの実施例を示しており、当業者は、創造的取り組みなしに依然としてこれらの添付図面から他の図面を導き得る。
【図１】本発明によるランダムアクセス系列生成方法の実施例１のフローチャートである。
【図２】本発明によるランダムアクセス系列生成方法の実施例２のフローチャートである。
【図３】本発明の実施例によるシナリオ１の概略図である。
【図４】本発明の実施例によるシナリオ２の概略図である。
【図５】本発明の実施例によるシナリオ３の概略図である。
【図６】本発明の実施例によるシナリオ４の概略図である。
【図７】本発明の実施例によるシナリオ５の概略図である。
【図８】本発明の実施例によるシナリオ６の概略図である。
【図９】本発明の実施例によるシナリオ７の概略図である。
【図１０】本発明によるランダムアクセス系列生成方法の実施例３のフローチャートである。
【図１１】本発明によるランダムアクセス系列生成方法の実施例５のフローチャートである。
【図１２】本発明によるランダムアクセス系列生成方法の実施例６のフローチャートである。
【図１３】本発明による基地局の実施例１の概略構成図である。
【図１４】本発明による基地局の実施例２の概略構成図である。
【図１５】本発明によるユーザ装置の実施例１の概略構成図である。
【図１６】本発明による基地局の実施例３の概略構成図である。
【図１７】本発明によるユーザ装置の実施例３の概略構成図である。
【図１８】本発明による基地局の実施例４の概略構成図である。
【図１９】本発明によるユーザ装置の実施例４の概略構成図である。
【図２０】本発明による基地局の実施例５の概略構成図である。
【発明を実施するための形態】
【００５８】
本発明の実施例の目的、技術的解決策及び利点をより明確にするために、以下に、本発明の実施例における添付図面を参照して、本発明の実施例における技術的解決策を明確且つ完全に説明する。明らかに、説明する実施例は、本発明の実施例の全てではなく一部である。創作的取り組みを行うことなく本発明の実施例に基づいて当業者により得られる全ての他の実施例は、本発明の保護範囲内に入るものとする。
【００５９】
図１は、本発明によるランダムアクセス系列生成方法の実施例１のフローチャートである。図１に示すように、この実施例における方法は以下を含んでもよい。
【００６０】
ステップ101：基地局は、通知シグナリングを生成し、通知シグナリングは、指示情報を含み、指示情報は、ユーザ装置UEに対して0から
【数２９３】
2020043569.tif 000295
の範囲からシフト系列番号を選択するように命令するために使用され、シフト系列番号は整数であり、nshiftRAはグループ内のUE候補系列シフトの数量であり、ngroupRAはグループの数量であり、
【数２９４】
2020043569.tif 000296
はグループにとって不十分な最後の長さにおけるUE候補系列シフトの数量であり、
【数２９５】
2020043569.tif 000297
は第１の残りの系列シフトにおけるUE候補系列シフトの数量であり、
【数２９６】
2020043569.tif 000298
は第２の残りの系列シフトにおけるUE候補系列シフトの数量である。
【００６１】
本発明における「グループ」は、系列シフトグループであり、ngroupRAは系列シフトがグループ化された後に取得されたグループの数量を示し、nshiftRAは系列シフトがグループ化された後に系列シフトグループ内で区別できるUEの数量を示し、
【数２９７】
2020043569.tif 000299
は系列シフトがグループ化された後にグループにとって不十分な残りの長さにおける系列シフト内で更に区別されるUEの数量を示し、
【数２９８】
2020043569.tif 000300
は
【数２９９】
2020043569.tif 000301
により明確に占有される系列シフト以外の全ての系列シフトの残りの離散系列シフト内で区別できるUEの数量を示す点に留意すべきである。
【００６２】
ステップ102：基地局は、通知シグナリングをUEに送信し、それにより、UEは、指示情報に従ってランダムアクセス系列を生成する。
【００６３】
従来技術では、UEは、0から
【数３００】
2020043569.tif 000302
の範囲からシフト系列番号を選択する。本発明では、基地局は、通知シグナリングを使用することにより、UEに対して0から
【数３０１】
2020043569.tif 000303
の範囲からシフト系列番号を選択するように命令する。
【００６４】
従来技術では、シフト系列は、３つのパラメータ、すなわち、グループの数量（ngroupRA）、グループ内のUE候補系列シフトの数量（nshiftRA）、及びグループにとって不十分な最後の長さにおけるUE候補系列シフトの数量
【数３０２】
2020043569.tif 000304
を決定するようにグループ化され、シフト系列番号は、３つのパラメータに従って決定された間隔から選択される。習得できるように、従来技術では、シフト系列番号が選択される範囲の決定中に、区別できるUEの数量は、グループの観点のみから考慮され、グループ化の後に取得された他の残りの離散シフト系列は考慮されない。本発明では、区別できるUEの数量がグループの観点から考慮された後に、グループ化の後に取得された他の残りの離散シフト系列内で更に区別できるUEの数量、すなわち、第１の残りの系列シフトにおけるUE候補系列シフトの数量
【数３０３】
2020043569.tif 000305
及び第２の残りの系列シフトにおけるUE候補系列シフトの数量
【数３０４】
2020043569.tif 000306
が更に考慮され、UEは、通知シグナリングを使用することにより、0から
【数３０５】
2020043569.tif 000307
の範囲からシフト系列番号を選択するように命令され、それにより、シフト系列番号が選択される範囲を拡張する。
【００６５】
図２は、本発明によるランダムアクセス系列生成方法の実施例２のフローチャートである。図２に示すように、任意選択で、ステップ102の後に、方法は以下を更に含んでもよい。
【００６６】
ステップ201：基地局は、0から
【数３０６】
2020043569.tif 000308
の範囲からシフト系列番号を選択する。
【００６７】
任意選択で、基地局は、UEがランダムアクセス系列を送信するときにUEにより使用されるシフト系列番号を習得できないため、基地局がUEにより送信されたランダムアクセス系列を検出するときに、基地局は、0から
【数３０７】
2020043569.tif 000309
の範囲内で各シフト系列番号をトラバースするように順次に選択する。或いは、基地局は、0からXの範囲内で各シフト系列番号をトラバースするように順次に選択し、Xは
【数３０８】
2020043569.tif 000310
未満の整数である。
【００６８】
ステップ202：基地局は、シフト系列番号に従ってサイクリックシフト値を取得する。
【００６９】
任意選択で、基地局は、以下の式(1)、式(2)又は式(3)：
【数３０９】
2020043569.tif 000311
を使用することにより、シフト系列番号vに従ってUEのサイクリックシフト値Cvを取得し、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数３１０】
2020043569.tif 000312
は第１の残りの系列シフトにおける第１のUE候補系列シフトのサイクリックシフト値であり、
【数３１１】
2020043569.tif 000313
は第２の残りの系列シフトにおける第１のUE候補系列シフトのサイクリックシフト値である。
【００７０】
doffsetは整数であり（通常では一定の整数である）、基地局側で使用されるdoffset及びUE側で使用されるdoffsetは同じである必要がある点に留意すべきである。任意選択で、基地局側で使用されるdoffset及びUE側で使用されるdoffsetが同じ値を有することは、事前の取り決めを用いて実現されてもよい。例えば、doffset=0である。
【００７１】
本発明では、
【数３１２】
2020043569.tif 000314
はYの切り捨てを示す点に留意すべきである。すなわち、Yが2.5に等しい場合、
【数３１３】
2020043569.tif 000315
は2に等しい。例えば、
【数３１４】
2020043569.tif 000316
は
【数３１５】
2020043569.tif 000317
の切り捨てを示す。
【００７２】
本発明では、modはモジュロ演算を示す点に留意すべきである。例えば、4mod2=0及び5mod2=1である。
【００７３】
任意選択で、
【数３１６】
2020043569.tif 000318
の場合、基地局は、式(1)を使用することにより、サイクリックシフト値Cvを取得し、
【数３１７】
2020043569.tif 000319
の場合、基地局は、式(2)を使用することにより、サイクリックシフト値Cvを取得するか、或いは、
【数３１８】
2020043569.tif 000320
の場合、基地局は、式(3)を使用することにより、サイクリックシフト値Cvを取得する。
【００７４】
ステップ203：基地局は、サイクリックシフト値に従って検出系列を生成し、検出系列を使用することにより、UEにより送信されたランダムアクセス系列を検出し、ランダムアクセス系列は、UEにより指示情報に従って生成される。
【００７５】
ルートがuであるZC系列xu(n)は
【数３１９】
2020043569.tif 000321
として規定されてもよく、NZCはZC系列の長さであり、uはZC系列のルートである。
【００７６】
具体的には、基地局は、ルートがuであるZC系列xu(n)に対してサイクリックシフトを実行する。サイクリックシフト値がKである場合、サイクリックシフト値に従って生成されたZC系列はxu((n+K)modNZC)であり、NZCはZC系列の長さである。
【００７７】
任意選択で、基地局は、サイクリックシフト値に従って生成された検出系列を使用することにより、UEにより送信されたランダムアクセス系列に対して関係する検出を実行する。基地局は、時間ドメインで関係する検出を実行してもよく、或いは時間ドメインに関する検出方法に対応する周波数ドメイン検出方式に従って周波数ドメインで検出を実行してもよい。
【００７８】
任意選択で、ステップ202において、
【数３２０】
2020043569.tif 000322
は、式(4)から(11)：
【数３２１】
2020043569.tif 000323
を満たす。
【００７９】
或いは、ステップ202において、
【数３２２】
2020043569.tif 000324
は、式(12)から(19)：
【数３２３】
2020043569.tif 000325
を満たす。
【００８０】
或いは、ステップ202において、
【数３２４】
2020043569.tif 000326
は、式(20)から(27)：
【数３２５】
2020043569.tif 000327
を満たす。
【００８１】
或いは、ステップ202において、
【数３２６】
2020043569.tif 000328
は、式(28)から(35)：
【数３２７】
2020043569.tif 000329
を満たし、duはドップラー周波数シフトがPRACHサブキャリア間隔の１倍であるときのランダムアクセス系列に対応するサイクリックシフトである。
【００８２】
任意選択で、
【数３２８】
2020043569.tif 000330
の場合、
【数３２９】
2020043569.tif 000331
は、式(4)から(11)を満たし、
【数３３０】
2020043569.tif 000332
の場合、
【数３３１】
2020043569.tif 000333
は、式(12)から(19)を満たす。
【００８３】
或いは、
【数３３２】
2020043569.tif 000334
の場合、
【数３３３】
2020043569.tif 000335
は、式(4)から(11)を満たし、
【数３３４】
2020043569.tif 000336
の場合、
【数３３５】
2020043569.tif 000337
は、式(12)から(19)を満たす。
【００８４】
任意選択で、
【数３３６】
2020043569.tif 000338
の場合、
【数３３７】
2020043569.tif 000339
は、式(20)から(27)を満たし、
【数３３８】
2020043569.tif 000340
の場合、
【数３３９】
2020043569.tif 000341
は、式(28)から(35)を満たす。
【００８５】
或いは、
【数３４０】
2020043569.tif 000342
の場合、
【数３４１】
2020043569.tif 000343
は、式(20)から(27)を満たし、
【数３４２】
2020043569.tif 000344
の場合、
【数３４３】
2020043569.tif 000345
は、式(28)から(35)を満たす。
【００８６】
本発明では、maxは最大値を取得することを示す点に留意すべきである。例えば、max(0,1)=1及びmax(4,5)=5である。minは最小値を取得することを示す。例えば、min(0,1)=0及びmin(4,5)=4である。
【００８７】
式(4)から(11)、式(12)から(19)、式(20)から(27)又は式(28)から(35)を満たすいずれかの
【数３４４】
2020043569.tif 000346
が本発明の保護範囲内に入るものとする点に留意すべきである。
【００８８】
この実施例では、基地局は、0から
【数３４５】
2020043569.tif 000347
の範囲からシフト系列番号を選択し、基地局は、シフト系列番号に従ってサイクリックシフト値を取得し、基地局は、サイクリックシフト値に従って検出系列を生成し、検出系列を使用することにより、UEにより送信されたランダムアクセス系列を検出し、ランダムアクセス系列は、UEにより指示情報に従って生成される。これは、ドップラー周波数シフトがPRACHサブキャリア間隔の１倍より大きく且つPRACHサブキャリア間隔の２倍より小さいときに、複数のUEのランダムアクセス系列が相互に干渉するという問題を解決し、複数のUEのランダムアクセス系列の間の干渉を回避し、基地局がランダムアクセス系列をより正確に復号することを可能にする。
【００８９】
以下に、この実施例において、ドップラー周波数シフトがPRACHサブキャリア間隔の１倍より大きく且つPRACHサブキャリア間隔の２倍より小さいときに、複数のUEのランダムアクセス系列が相互に干渉するという問題が、
【数３４６】
2020043569.tif 000348
が式(4)から(11)、式(12)から(19)、式(20)から(27)又は式(28)から(35)を満たす場合に回避できる理由について説明する。
【００９０】
UEにより送信される信号がr(t)ej2πftであり、r(t)がベースバンド信号であり、ej2πftがキャリアであり、ドップラー周波数シフトmΔfの後に取得された信号がr(t)ej2π(f+mΔf)tであると仮定し、mは正の整数であり、ΔfはPRACHサブキャリア間隔の１倍である。
【００９１】
逆高速フーリエ変換（IFFT,  Inverse  Fast  Fourier  Transform)の性質によれば、周波数ドメイン間隔の逆数は、時間ドメイン周期に等しく、これは、
【数３４７】
2020043569.tif 000349
に等しく、Δfはサブキャリア間隔であり、Δtは時間ドメインサンプリング間隔であり、Nは離散フーリエ変換（DFT,  Discrete  Fourier  Transform）又は逆離散フーリエ変換（IDFT,  Inverse  Discrete  Fourier  Transform）の値である。
【００９２】
t=nΔtが設定され、この場合、r(t)ej2π(f+mΔf)t=(r(t)ej2π(mn)/N)ej2πftである。(r(t)ej2π(mn)/N)は等価なベースバンド信号である。
【００９３】
性質１：
【００９４】
UEは、ランダムアクセス系列を基地局に送信する。UE及び基地局の受信端の間にドップラー周波数シフト±mΔfが存在する場合、基地局の受信端で受信されたランダムアクセス系列は、UEにより送信されたランダムアクセス系列のシフト系列であり、２つの系列の間に固定の位相シフトが存在する。
【００９５】
証明：例えば、ドップラー周波数シフトは-mΔfである。時間ドメインt=nΔtのベースバンドサンプリング信号は、r(n)として記される。等価なベースバンド信号(r(t)e-j2π(mn)/N)について、N=NZCが設定される。この場合、ZC系列の等価なベースバンド信号のベースバンドサンプリング信号は、
【数３４８】
2020043569.tif 000350
であり、
【数３４９】
2020043569.tif 000351
であり、
【数３５０】
2020043569.tif 000352
であり、
xu(n)はルートがuであるZC系列、すなわち、
【数３５１】
2020043569.tif 000353
を示し、xu(n+m(1/u))はルートがuであるZC系列のシフト系列を示し、すなわち、ルートがuであるZC系列に対してm(1/u)ビットだけ右サイクリックシフトが実行される。
【００９６】
式(37)において、
【数３５２】
2020043569.tif 000354
は((1/u)×u)modNZC=1を満たす最小の負でない整数として規定される。
【００９７】
式(37)から習得できるように、
【数３５３】
2020043569.tif 000355
はドップラー周波数シフトがPRACHサブキャリア間隔の１倍であるときのランダムアクセス系列に対応するサイクリックシフト、すなわち、ドップラー周波数シフトがPRACHサブキャリア間隔の１倍であるときに存在する、基地局により受信されたランダムアクセス系列とUEにより送信されたランダムアクセス系列との間のサイクリックシフトの長さである。
【００９８】
例えば、UEにより送信されたランダムアクセス系列がxu(n)である場合、ドップラー周波数シフトがPRACHサブキャリア間隔の１倍であるときに、基地局により受信されたランダムアクセス系列は、
【数３５４】
2020043569.tif 000356
である。
【００９９】
式(15)から習得できるように、UE及び基地局の受信端の間にドップラー周波数シフト-mΔfが存在する場合、時間ドメインでは、基地局により受信されたランダムアクセス系列は、UEにより送信されたランダムアクセス系列のシフト系列であり、２つの系列の間に固定の位相オフセット
【数３５５】
2020043569.tif 000357
（nに関係ない）が存在する。同様に、ドップラー周波数シフト+mΔfについて、時間ドメインで基地局により受信されたランダムアクセス系列もまた、UEにより送信されたランダムアクセス系列のシフト系列である。詳細はここでは再び説明しない。
【０１００】
性質２：ドップラー周波数シフトが比較的大きく、ドップラー周波数シフトfoffがPRACHサブキャリア間隔Δfの１倍より小さいときに、関係するピーク値は、系列が相関しているときには位相シフト
【数３５６】
2020043569.tif 000358
の３つの位置に現れてもよい。
【０１０１】
すなわち、ルートがuであるZC系列xu(n)について、ドップラー周波数シフトfoffがPRACHサブキャリア間隔Δfの１倍より小さく、UEにより送信されたランダムアクセス系列がxu(n)であるときに、基地局の受信端がUEにより送信されたランダムアクセス系列と相関させるために系列
【数３５７】
2020043569.tif 000359
を使用するときにピーク値が存在する。
【０１０２】
性質２は実験を通じて決定される点に留意すべきである。
【０１０３】
性質１及び性質２から習得できるように：
【０１０４】
1)ドップラー周波数シフトがfoff=Δf+xであり、0<x<Δfであるときに、基地局による受信中に、ピーク値はシフト
【数３５８】
2020043569.tif 000360
の３つの位置において生成される。
【０１０５】
すなわち、ルートがuであるZC系列xu(n)について、ドップラー周波数シフトがfoff=Δf+x（0<x<Δf）であり、UEにより送信されたランダムアクセス系列がxu(n)であるときに、基地局の受信端がUEにより送信されたランダムアクセス系列と相関させるために系列
【数３５９】
2020043569.tif 000361
を使用するときにピーク値が存在する。
【０１０６】
2)ドップラー周波数シフトがfoff=Δf+xであり、0<x<Δfであるときに、基地局による受信中に、ピーク値はシフト
【数３６０】
2020043569.tif 000362
の３つの位置において生成される。
【０１０７】
すなわち、ルートがuであるZC系列xu(n)について、ドップラー周波数シフトがfoff=Δf+x（0<x<Δf）であり、UEにより送信されたランダムアクセス系列がxu(n)であるときに、基地局の受信端がUEにより送信されたランダムアクセス系列と相関させるために系列
【数３６１】
2020043569.tif 000363
を使用するときにピーク値が存在する。
【０１０８】
したがって、ドップラー周波数シフトがPRACHサブキャリア間隔Δfの１倍より大きく且つPRACHサブキャリア間隔の２倍より小さいときに、基地局による受信中に、ピーク値は、シフト
【数３６２】
2020043569.tif 000364
の５つの位置において生成されてもよい。
【０１０９】
すなわち、ルートがuであるZC系列xu(n)について、ドップラー周波数シフトがPRACHサブキャリア間隔Δfの１倍より大きく且つPRACHサブキャリア間隔の２倍より小さく、UEにより送信されたランダムアクセス系列がxu(n)であるときに、基地局の受信端がUEにより送信されたランダムアクセス系列と相関させるために系列
【数３６３】
2020043569.tif 000365
を使用するときにピーク値が存在してもよい。
【０１１０】
この実施例では、ドップラー周波数シフトがPRACHサブキャリア間隔の１倍より大きく且つPRACHサブキャリア間隔の２倍より小さいときに生成される５つのピーク値点に対応する系列を基地局の受信端が他のユーザに割り当てることを妨げ、それにより、ドップラー周波数シフトにより引き起こされるユーザの間の干渉を回避するために、
【数３６４】
2020043569.tif 000366
は、式(4)から(11)、式(12)から(19)、式(20)から(27)又は式(28)から(35)を満たす。
【０１１１】
【数３６５】
2020043569.tif 000367
であるときに、ZC系列に対して
【数３６６】
2020043569.tif 000368
だけ左サイクリックシフトが実行されたときに取得された系列は、ZC系列に対して
【数３６７】
2020043569.tif 000369
だけ右サイクリックシフトが実行されたときに取得された系列と同じである。したがって、本発明では、
【数３６８】
2020043569.tif 000370
であり、
【数３６９】
2020043569.tif 000371
である。習得できるように、duはドップラー周波数シフトがPRACHサブキャリア間隔の１倍であるときのランダムアクセス系列に対応するサイクリックシフトである。
【０１１２】
図３は、本発明の実施例によるシナリオ１の概略図である。図面において、N=NZCであり、
【数３７０】
2020043569.tif 000372
を満たす。図３に示すように、10、1+1、1+2、1-1及び1+2により占有される系列シフトは、第１のグループとして使用され、20、2+1、2+2、2-1及び2+2により占有される系列シフトは、第２のグループとして使用される。グループ内のUE候補系列シフトの数量は、
【数３７１】
2020043569.tif 000373
であり、NCSはユーザにより占有されるサイクリックシフトの数量を示す。例えば、系列長はNZCであり、ユーザはNCS個のシフトを占有する。ドップラー周波数シフトが考慮されないときに、最大で
【数３７２】
2020043569.tif 000374
人のユーザがランダムアクセス系列を同時に送信することが同時にサポートされる。
【０１１３】
nshiftRAはまた、グループ内で区別できるユーザの数量を示す。システムの観点から、nshiftRA人のユーザがグループ内で区別できる。UE側の観点から、１つのUEは、グループ内で最大でnshiftRA個の系列シフトを選択してもよい。
【０１１４】
系列長がNZCであるZC系列について、ドップラー周波数シフトが考慮されず、NCS=0であるときに、ZC系列は、NZC個の候補系列シフトを有してもよく、これらは、サイクリックシフト値0からNZC-1にそれぞれ対応する点に留意すべきである。例えば、ルートがuであるZC系列がxu(n)として記される場合、サイクリックシフト値が0であるときに、その生成された系列はxu(n)である。サイクリックシフト値が1であるときに、その生成された系列はxu(n+1)である。ドップラー周波数シフトが考慮されず、NCSが0より大きいときに、
【数３７３】
2020043569.tif 000375
個の候補系列シフトが存在してもよく、これらは、サイクリックシフト値Y*NCSにそれぞれ対応し、Yは0以上且つ
【数３７４】
2020043569.tif 000376
未満の整数である。
【０１１５】
ドップラー周波数シフトがPRACHサブキャリア間隔の１倍より大きく且つPRACHサブキャリア間隔の２倍より小さいときに、第１のユーザ装置は、第１のサイクリックシフト値に従ってランダムアクセス系列を生成し、ランダムアクセス系列を基地局に送信する。基地局が５つのサイクリックシフト値に対応する系列を使用することにより、第１のユーザ装置により送信されたランダムアクセス系列を検出するときに、ピーク値が存在してもよく、サイクリックシフト値と第１のサイクリックシフト値との間の差は、それぞれ0、du、-du、2du及び-2duである。したがって、第１のユーザ装置と他のユーザ装置との間の干渉を回避するために、５つのサイクリックシフト値に対応する候補系列シフトのいずれも他のユーザ装置に割り当てられることができない。さらに、基地局側について、これは、５つのサイクリックシフト値に対応する候補系列シフトが全て第１のユーザ装置に割り当てられることと等価である。すなわち、図３に示すように、「1」に関する系列シフト（すなわち、10、1+1、1+2、1-1及び1+2により占有される系列シフト）は、同じグループのUEの候補系列シフトとして使用され、「2」に関する系列シフト（すなわち、20、2+1、2+2、2-1及び2+2により占有される系列シフト）は、同じグループのUEの候補系列シフトとして使用される。
【０１１６】
さらに、５つのサイクリックシフト値と第１のサイクリックシフト値との間の差は、それぞれ0、du、-du、2du及び-2duであるため、第１のグループのUEの中の第１のUEについて、10により占有される系列シフトの初期系列シフトは、第１のグループのUEの中の第１のUEのサイクリックシフト値であることも習得できる。第２のグループのUEの中の第１のUEについて、20により占有される系列シフトの初期系列シフトは、第２のグループのUEの中の第１のUEのサイクリックシフト値である。
【０１１７】
dstart=4du-NZC+nshiftRA・NCSは図３の格子パターンの塗りつぶしパターンにより示される、隣接するグループの間のサイクリックシフト距離を示す。
【０１１８】
【数３７５】
2020043569.tif 000377
は系列長がNZCである系列内のグループの数量を示す。図３に示すように、グループの数量は2である（すなわち、第１のグループ及び第２のグループ）。
【０１１９】
【数３７６】
2020043569.tif 000378
はグループにとって不十分な最後の長さにおけるUE候補系列シフトの数量を示す。グループにとって不十分な最後の長さにおけるUE候補系列シフトの数量は、図３では0である。
【０１２０】
【数３７７】
2020043569.tif 000379
は第１の残りの系列シフトにおけるUE候補系列シフトの数量を示し、第１の残りの系列シフトは、図３の左に向かって傾斜するストライプの塗りつぶしパターンにより示される。
【０１２１】
【数３７８】
2020043569.tif 000380
は第２の残りの系列シフトにおけるUE候補系列シフトの数量を示し、第２の残りの系列シフトは、図３の右に向かって傾斜するストライプの塗りつぶしパターンにより示される。
【０１２２】
【数３７９】
2020043569.tif 000381
は第１の残りの系列シフトにおける第１のUE候補系列シフトのサイクリックシフト値を示し、図３の矢印Xにより識別される。
【０１２３】
【数３８０】
2020043569.tif 000382
は第２の残りの系列シフトにおける第１のUE候補系列シフトのサイクリックシフト値を示し、図３の矢印Yにより識別される。
【０１２４】
例えば、NZC=839、NCS=18及びdu=222のときに、対応するシナリオが図３に示され得る。
【０１２５】
どのように各グループを割り当てるかをより容易に説明するために、図３の丸点パターンの塗りつぶしパターンは、グループにより占有される５つのシフト系列のうち１つを同調して示すために使用される点に留意すべきである。
【０１２６】
図４は、本発明の実施例によるシナリオ２の概略図である。図面において、N=NZCであり、
【数３８１】
2020043569.tif 000383
を満たす。図４に示すように、10、1+1、1+2、1-1及び1+2により占有される系列シフトは、第１のグループとして使用され、20、2+1、2+2、2-1及び2+2により占有される系列シフトは、第２のグループとして使用される。グループ内のUE候補系列シフトの数量は、
【数３８２】
2020043569.tif 000384
であり、NCSはユーザにより占有されるサイクリックシフトの数量を示す。
【０１２７】
図４及び図３において、
【数３８３】
2020043569.tif 000385
の物理的意味並びに満たされる必要のある式は全て同じである点に留意すべきである。詳細はここでは再び説明しない。
【０１２８】
dstartは図４の格子パターンの塗りつぶしパターンにより示され、
【数３８４】
2020043569.tif 000386
は図４の左に向かって傾斜するストライプの塗りつぶしパターンにより示され、
【数３８５】
2020043569.tif 000387
は図４の矢印Xにより識別される。
【０１２９】
図４において、ngroupRAは2であり、
【数３８６】
2020043569.tif 000388
は0であり、
【数３８７】
2020043569.tif 000389
は0であり、
【数３８８】
2020043569.tif 000390
は0である（
【数３８９】
2020043569.tif 000391
が0であることに対応する）。
【０１３０】
例えば、NZC=839、NCS=22及びdu=221のときに、これは、図４に示すシナリオに対応し得る。
【０１３１】
どのように各グループを割り当てるかをより容易に説明するために、図４の丸点パターンの塗りつぶしパターンは、１つのグループにより占有される５つのシフト系列のうち１つを同調して示すために使用される点に留意すべきである。
【０１３２】
図５は、本発明の実施例によるシナリオ３の概略図である。図面において、N=NZCであり、
【数３９０】
2020043569.tif 000392
を満たす。図５に示すように、10、1+1、1+2、1-1及び1+2により占有される系列シフトは、第１のグループとして使用され、20、2+1、2+2、2-1及び2+2により占有される系列シフトは、第２のグループとして使用される。グループ内のUE候補系列シフトの数量は、
【数３９１】
2020043569.tif 000393
であり、NCSはユーザにより占有されるサイクリックシフトの数量を示す。
【０１３３】
図５及び図３において、
【数３９２】
2020043569.tif 000394
の物理的意味並びに満たされる必要のある式は全て同じである点に留意すべきである。詳細はここでは再び説明しない。
【０１３４】
dstartは図５の格子パターンの塗りつぶしパターンにより示され、
【数３９３】
2020043569.tif 000395
は図５の左に向かって傾斜するストライプの塗りつぶしパターンにより示され、
【数３９４】
2020043569.tif 000396
は図５の矢印Xにより識別される。
【０１３５】
図５において、ngroupRAは2であり、
【数３９５】
2020043569.tif 000397
は0であり、
【数３９６】
2020043569.tif 000398
は0である（
【数３９７】
2020043569.tif 000399
が0であることに対応する）。
【０１３６】
図５において、
【数３９８】
2020043569.tif 000400
は1でもよい。すなわち、文字A（0に対応してもよい）、B（+duに対応してもよい）、C（+2duに対応してもよい）、D（-duに対応してもよい）及びE（-2duに対応してもよい）の塗りつぶしパターンに対応する５つの候補系列シフトが新たな候補系列シフトとして使用され、UEに割り当てられる。
【０１３７】
例えば、NZC=839、NCS=18及びdu=220のときに、これは、図５に示すシナリオに対応し得る。
【０１３８】
どのように各グループを割り当てるかをより容易に説明するために、図５の丸点パターンの塗りつぶしパターンは、１つのグループにより占有される５つのシフト系列のうち１つを同調して示すために使用される点に留意すべきである。
【０１３９】
図６は、本発明の実施例によるシナリオ４の概略図である。図面において、N=NZCであり、
【数３９９】
2020043569.tif 000401
を満たす。図６に示すように、10、1+1、1+2、1-1及び1+2により占有される系列シフトは、第１のグループとして使用され、20、2+1、2+2、2-1及び2+2により占有される系列シフトは、第２のグループとして使用される。グループ内のUE候補系列シフトの数量は、
【数４００】
2020043569.tif 000402
である。
【０１４０】
図６及び図３において、
【数４０１】
2020043569.tif 000403
は同じ物理的意味を有し、満たされる必要のある式のみが異なる点に留意すべきである。分析処理は図３のものと同様である。詳細はここでは再び説明しない。
【０１４１】
dstart=NZC-3du+nshiftRA・NCSは隣接するグループの間のサイクリックシフト距離を示し、図６の格子パターンの塗りつぶしパターンにより示される。
【０１４２】
【数４０２】
2020043569.tif 000404
は系列長がNZCである系列内のグループの数量を示す。図６に示すように、グループの数量は2である。
【０１４３】
【数４０３】
2020043569.tif 000405
はグループにとって不十分な最後の長さにおけるUE候補系列シフトの数量を示す。図６に示すように、グループにとって不十分な最後の長さにおけるUE候補系列シフトの数量は1でもよい。すなわち、文字A、B、C、D及びEの塗りつぶしパターンに対応する５つの候補系列シフトが新たな候補系列シフトとして使用され、UEに割り当てられる。
【０１４４】
【数４０４】
2020043569.tif 000406
は第１の残りの系列シフトにおけるUE候補系列シフトの数量を示す。第１の残りの系列シフトは、図６の左に向かって傾斜するストライプの塗りつぶしパターンにより示される。
【０１４５】
【数４０５】
2020043569.tif 000407
は第２の残りの系列シフトにおけるUE候補系列シフトの数量が0であることを示す。
【０１４６】
【数４０６】
2020043569.tif 000408
は第１の残りの系列シフトにおける第１のUE候補系列シフトのサイクリックシフト値を示し、図６の矢印Xにより識別される。
【０１４７】
【数４０７】
2020043569.tif 000409
である。
【０１４８】
例えば、NZC=839、NCS=22及びdu=264のときに、これは、図６に示すシナリオに対応し得る。
【０１４９】
どのように各グループを割り当てるかをより容易に説明するために、図６の丸点パターンの塗りつぶしパターンは、１つのグループにより占有される５つのシフト系列のうち１つを同調して示すために使用され、縦線パターンの塗りつぶしパターンは、文字の塗りつぶしパターンにより占有される系列シフトを同調して示すために使用される点に留意すべきである。
【０１５０】
図７は、本発明の実施例によるシナリオ５の概略図である。図面において、N=NZCであり、
【数４０８】
2020043569.tif 000410
を満たす。図７に示すように、10、1+1、1+2、1-1及び1+2により占有される系列シフトは、第１のグループとして使用され、20、2+1、2+2、2-1及び2+2により占有される系列シフトは、第２のグループとして使用される。グループ内のUE候補系列シフトの数量は、
【数４０９】
2020043569.tif 000411
であり、NCSはユーザにより占有されるサイクリックシフトの数量を示す。
【０１５１】
図７及び図６において、
【数４１０】
2020043569.tif 000412
の物理的意味並びに満たされる必要のある式は全て同じである点に留意すべきである。詳細はここでは再び説明しない。
【０１５２】
dstartは図７の格子パターンの塗りつぶしパターンにより示され、
【数４１１】
2020043569.tif 000413
は図７の左に向かって傾斜するストライプの塗りつぶしパターンにより示され、
【数４１２】
2020043569.tif 000414
は図７の矢印Xにより識別される。
【０１５３】
図７において、ngroupRAは2であり、
【数４１３】
2020043569.tif 000415
は0であり、
【数４１４】
2020043569.tif 000416
は0であり、
【数４１５】
2020043569.tif 000417
は0である（
【数４１６】
2020043569.tif 000418
が0であることに対応する）。
【０１５４】
例えば、NZC=839、NCS=22及びdu=261のときに、これは、図７に示すシナリオに対応し得る。
【０１５５】
どのように各グループを割り当てるかをより容易に説明するために、図７の丸点パターンの塗りつぶしパターンは、１つのグループにより占有される５つのシフト系列のうち１つを同調して示すために使用される点に留意すべきである。
【０１５６】
図８は、本発明の実施例によるシナリオ６の概略図である。図面において、N=NZCであり、
【数４１７】
2020043569.tif 000419
を満たす。図８に示すように、10、1+1、1+2、1-1及び1+2により占有される系列シフトは、第１のグループとして使用され、20、2+1、2+2、2-1及び2+2により占有される系列シフトは、第２のグループとして使用される。グループ内のUE候補系列シフトの数量は、
【数４１８】
2020043569.tif 000420
である。
【０１５７】
図８及び図３において、
【数４１９】
2020043569.tif 000421
は同じ物理的意味を有し、満たされる必要のある式のみが異なる点に留意すべきである。分析処理は図３のものと同様である。詳細はここでは再び説明しない。
【０１５８】
dstart=3du-NZC+nshiftRA・NCSは隣接するグループの間のサイクリックシフト距離を示し、図８の格子パターンの塗りつぶしパターンにより示される。
【０１５９】
【数４２０】
2020043569.tif 000422
は系列長がNZCである系列内のグループの数量を示す。図８に示すように、グループの数量は2である。
【０１６０】
【数４２１】
2020043569.tif 000423
はグループにとって不十分な最後の長さにおけるUE候補系列シフトの数量を示す。図８に示すように、グループにとって不十分な最後の長さにおけるUE候補系列シフトの数量は1でもよい。すなわち、文字A、B、C、D及びEの塗りつぶしパターンに対応する５つの候補系列シフトが新たな候補系列シフトとして使用され、UEに割り当てられる。
【０１６１】
【数４２２】
2020043569.tif 000424
は第１の残りの系列シフトにおけるUE候補系列シフトの数量が0であることを示す。
【０１６２】
【数４２３】
2020043569.tif 000425
は第２の残りの系列シフトにおけるUE候補系列シフトの数量が0であることを示す。
【０１６３】
【数４２４】
2020043569.tif 000426
である。
【０１６４】
【数４２５】
2020043569.tif 000427
である。
【０１６５】
例えば、NZC=839、NCS=22及びdu=300のときに、これは、図８に示すシナリオに対応し得る。
【０１６６】
図９は、本発明の実施例によるシナリオ７の概略図である。図面において、N=NZCであり、
【数４２６】
2020043569.tif 000428
を満たす。図９に示すように、10、1+1、1+2、1-1及び1+2により占有される系列シフトは、第１のグループとして使用され、20、2+1、2+2、2-1及び2+2により占有される系列シフトは、第２のグループとして使用される。グループ内のUE候補系列シフトの数量は、
【数４２７】
2020043569.tif 000429
である。
【０１６７】
図９及び図３において、
【数４２８】
2020043569.tif 000430
は同じ物理的意味を有し、満たされる必要のある式のみが異なる点に留意すべきである。分析処理は図３のものと同様である。詳細はここでは再び説明しない。
【０１６８】
dstart=2(NZC-2du)+nshiftRA・NCSは隣接するグループの間のサイクリックシフト距離を示し、図９の格子パターンの塗りつぶしパターンにより示される。
【０１６９】
【数４２９】
2020043569.tif 000431
は系列長がNZCである系列内のグループの数量を示す。図９に示すように、グループの数量は2である。
【０１７０】
【数４３０】
2020043569.tif 000432
はグループにとって不十分な最後の長さにおけるUE候補系列シフトの数量を示す。図９に示すように、グループにとって不十分な最後の長さにおけるUE候補系列シフトの数量は1でもよい。すなわち、文字A、B、C、D及びEの塗りつぶしパターンに対応する５つの候補系列シフトが新たな候補系列シフトとして使用され、UEに割り当てられる。
【０１７１】
【数４３１】
2020043569.tif 000433
は第１の残りの系列シフトにおけるUE候補系列シフトの数量が0であることを示す。
【０１７２】
【数４３２】
2020043569.tif 000434
は第２の残りの系列シフトにおけるUE候補系列シフトの数量が0であることを示す。
【０１７３】
【数４３３】
2020043569.tif 000435
である。
【０１７４】
【数４３４】
2020043569.tif 000436
である。
【０１７５】
例えば、NZC=839、NCS=22及びdu=393のときに、これは、図９に示すシナリオに対応し得る。
【０１７６】
図１０は、本発明によるランダムアクセス系列生成方法の実施例３のフローチャートである。図１０に示すように、この実施例における方法は以下を含んでもよい。
【０１７７】
ステップ1001：UEは、基地局から通知シグナリングを受信し、通知シグナリングは、指示情報を含み、指示情報は、UEに対して0から
【数４３５】
2020043569.tif 000437
の範囲からシフト系列番号を選択するように命令するために使用され、シフト系列番号は整数であり、nshiftRAはグループ内のUE候補系列シフトの数量であり、ngroupRAはグループの数量であり、
【数４３６】
2020043569.tif 000438
はグループにとって不十分な最後の長さにおけるUE候補系列シフトの数量であり、
【数４３７】
2020043569.tif 000439
は第１の残りの系列シフトにおけるUE候補系列シフトの数量であり、
【数４３８】
2020043569.tif 000440
は第２の残りの系列シフトにおけるUE候補系列シフトの数量である。
【０１７８】
ステップ1002：UEは、通知シグナリングに従ってシフト系列番号を選択する。
【０１７９】
具体的には、UEは、通知シグナリングに従って0から
【数４３９】
2020043569.tif 000441
の範囲からシフト系列番号を選択する。
【０１８０】
ステップ1003：UEは、シフト系列番号に従ってサイクリックシフト値を取得する。
【０１８１】
ステップ1004：UEは、サイクリックシフト値に従ってランダムアクセス系列を生成する。
【０１８２】
この実施例では、UEは、通知シグナリングに従って0から
【数４４０】
2020043569.tif 000442
の範囲からシフト系列番号を選択し、それにより、区別できるUEの数量がグループの観点から考慮された後に、グループ化の後に取得された他の残りの離散シフト系列内で更に区別できるUEの数量が更に考慮され、それにより、シフト系列番号が選択される範囲を拡張する。
【０１８３】
ランダムアクセス系列生成方法の実施例４は以下の通りである。
【０１８４】
任意選択で、本発明におけるランダムアクセス系列生成方法の実施例３に基づいて、ステップ1003は、UEにより、式(1)、式(2)又は式(3)を使用することにより、シフト系列番号vに従ってサイクリックシフト値Cvを取得することを具体的に含んでもよい。
【０１８５】
任意選択で、
【数４４１】
2020043569.tif 000443
の場合、UEは、式(1)を使用することにより、サイクリックシフト値Cvを取得し、
【数４４２】
2020043569.tif 000444
の場合、UEは、式(2)を使用することにより、サイクリックシフト値Cvを取得し、
【数４４３】
2020043569.tif 000445
の場合、UEは、式(3)を使用することにより、サイクリックシフト値Cvを取得する。
【０１８６】
任意選択で、ステップ1004は、
UEにより、以下の式(36)：
【数４４４】
2020043569.tif 000446
を使用することにより、サイクリックシフト値Cvに従ってランダムアクセス系列
【数４４５】
2020043569.tif 000447
を生成し、NZCは系列長であり、ルートがuであるZC系列は
【数４４６】
2020043569.tif 000448
として規定されることを具体的に含んでもよい。
【０１８７】
この実施例では、
【数４４７】
2020043569.tif 000449
の詳細な説明は、ランダムアクセス系列生成方法の実施例２のものと同じである。詳細はここでは再び説明しない。
【０１８８】
図１１は、本発明によるランダムアクセス系列生成方法の実施例５のフローチャートである。図１１に示すように、この実施例における方法は以下を含んでもよい。
【０１８９】
ステップ1101：基地局は、シフト系列番号を選択する。
【０１９０】
具体的には、基地局は、0から
【数４４８】
2020043569.tif 000450
の範囲からシフト系列番号vを選択し、vは整数であり、nshiftRAはグループ内のユーザ装置UE候補系列シフトの数量であり、ngroupRAはグループの数量であり、
【数４４９】
2020043569.tif 000451
はグループにとって不十分な最後の長さにおけるUE候補系列シフトの数量であり、
【数４５０】
2020043569.tif 000452
は第１の残りの系列シフトにおけるUE候補系列シフトの数量であり、
【数４５１】
2020043569.tif 000453
は第２の残りの系列シフトにおけるUE候補系列シフトの数量である。
【０１９１】
ステップ1102：基地局は、シフト系列番号に従ってサイクリックシフト値を取得する。
【０１９２】
具体的には、基地局は、以下の式(1)、式(2)又は式(3)：
【数４５２】
2020043569.tif 000454
を使用することにより、シフト系列番号vに従ってサイクリックシフト値Cvを取得し、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数４５３】
2020043569.tif 000455
は第１の残りの系列シフトにおける第１のUE候補系列シフトのサイクリックシフト値であり、
【数４５４】
2020043569.tif 000456
は第２の残りの系列シフトにおける第１のUE候補系列シフトのサイクリックシフト値である。
【０１９３】
この実施例では、
【数４５５】
2020043569.tif 000457
は、式(4)から(11)を満たすか、或いは、
【数４５６】
2020043569.tif 000458
は、式(12)から(19)を満たすか、或いは、
【数４５７】
2020043569.tif 000459
は、式(20)から(27)を満たすか、或いは、
【数４５８】
2020043569.tif 000460
は、式(28)から(35)を満たす。
【０１９４】
この実施例では、
【数４５９】
2020043569.tif 000461
の詳細な説明は、ランダムアクセス系列生成方法の実施例２のものと同じである点に留意すべきである。詳細はここでは再び説明しない。
【０１９５】
任意選択で、
【数４６０】
2020043569.tif 000462
の場合、基地局は、式(1)を使用することにより、サイクリックシフト値Cvを取得し、
【数４６１】
2020043569.tif 000463
の場合、基地局は、式(2)を使用することにより、サイクリックシフト値Cvを取得し、
【数４６２】
2020043569.tif 000464
の場合、基地局は、式(3)を使用することにより、サイクリックシフト値Cvを取得する。
【０１９６】
任意選択で、
【数４６３】
2020043569.tif 000465
の場合、
【数４６４】
2020043569.tif 000466
は、式(4)から(11)を満たし、
【数４６５】
2020043569.tif 000467
の場合、
【数４６６】
2020043569.tif 000468
は、式(12)から(19)を満たす。
【０１９７】
或いは、
【数４６７】
2020043569.tif 000469
の場合、
【数４６８】
2020043569.tif 000470
は、式(4)から(11)を満たし、
【数４６９】
2020043569.tif 000471
の場合、
【数４７０】
2020043569.tif 000472
は、式(12)から(19)を満たす。
【０１９８】
任意選択で、
【数４７１】
2020043569.tif 000473
の場合、
【数４７２】
2020043569.tif 000474
は、式(20)から(27)を満たし、
【数４７３】
2020043569.tif 000475
の場合、
【数４７４】
2020043569.tif 000476
は、式(28)から(35)を満たす。
【０１９９】
或いは、
【数４７５】
2020043569.tif 000477
の場合、
【数４７６】
2020043569.tif 000478
は、式(20)から(27)を満たし、
【数４７７】
2020043569.tif 000479
の場合、
【数４７８】
2020043569.tif 000480
は、式(28)から(35)を満たす。
【０２００】
この実施例では、式(4)から(11)、式(12)から(19)、式(20)から(27)又は式(28)から(35)を満たす
【数４７９】
2020043569.tif 000481
が使用され、シフト系列番号は、0から
【数４８０】
2020043569.tif 000482
の範囲から選択され、それにより、シフト系列番号が選択される範囲を拡張する。
【０２０１】
図１２は、本発明によるランダムアクセス系列生成方法の実施例６のフローチャートである。図１２に示すように、この実施例における方法は以下を含んでもよい。
【０２０２】
ステップ1201：UEは、シフト系列番号を選択する。
【０２０３】
具体的には、UEは、0から
【数４８１】
2020043569.tif 000483
の範囲からシフト系列番号vを選択する。
【０２０４】
vは整数であり、nshiftRAはグループ内のUE候補系列シフトの数量であり、ngroupRAはグループの数量であり、
【数４８２】
2020043569.tif 000484
はグループにとって不十分な最後の長さにおけるUE候補系列シフトの数量であり、
【数４８３】
2020043569.tif 000485
は第１の残りの系列シフトにおけるUE候補系列シフトの数量であり、
【数４８４】
2020043569.tif 000486
は第２の残りの系列シフトにおけるUE候補系列シフトの数量である。
【０２０５】
ステップ1202：UEは、シフト系列番号に従ってサイクリックシフト値を取得する。
【０２０６】
具体的には、UEは、以下の式(1)、式(2)又は式(3)：
【数４８５】
2020043569.tif 000487
を使用することにより、シフト系列番号vに従ってサイクリックシフト値Cvを取得し、doffsetはシフトオフセットであり、dstartは隣接するグループの間のサイクリックシフト距離であり、nshiftRAはグループ内のUE候補系列シフトの数量であり、NCSはユーザにより占有されるサイクリックシフトの数量であり、
【数４８６】
2020043569.tif 000488
は第１の残りの系列シフトにおける第１のUE候補系列シフトのサイクリックシフト値であり、
【数４８７】
2020043569.tif 000489
は第２の残りの系列シフトにおける第１のUE候補系列シフトのサイクリックシフト値である。
【０２０７】
ステップ1203：UEは、サイクリックシフト値に従ってランダムアクセス系列を生成する。
【０２０８】
具体的には、UEは、以下の式(36)：
【数４８８】
2020043569.tif 000490
を使用することにより、サイクリックシフト値Cvに従ってランダムアクセス系列
【数４８９】
2020043569.tif 000491
を生成し、NZCは系列長であり、ルートがuであるZC系列は
【数４９０】
2020043569.tif 000492
として規定される。
【０２０９】
この実施例では、
【数４９１】
2020043569.tif 000493
は、式(4)から(11)を満たすか、或いは、
【数４９２】
2020043569.tif 000494
は、式(12)から(19)を満たすか、或いは、
【数４９３】
2020043569.tif 000495
は、式(20)から(27)を満たすか、或いは、
【数４９４】
2020043569.tif 000496
は、式(28)から(35)を満たす。
【０２１０】
この実施例では、
【数４９５】
2020043569.tif 000497
の詳細な説明は、ランダムアクセス系列生成方法の実施例２のものと同じである点に留意すべきである。詳細はここでは再び説明しない。
【０２１１】
任意選択で、
【数４９６】
2020043569.tif 000498
の場合、基地局は、式(1)を使用することにより、サイクリックシフト値Cvを取得し、
【数４９７】
2020043569.tif 000499
の場合、基地局は、式(2)を使用することにより、サイクリックシフト値Cvを取得し、
【数４９８】
2020043569.tif 000500
の場合、基地局は、式(3)を使用することにより、サイクリックシフト値Cvを取得する。
【０２１２】
任意選択で、
【数４９９】
2020043569.tif 000501
の場合、
【数５００】
2020043569.tif 000502
は、式(4)から(11)を満たし、
【数５０１】
2020043569.tif 000503
の場合、
【数５０２】
2020043569.tif 000504
は、式(12)から(19)を満たす。
【０２１３】
或いは、
【数５０３】
2020043569.tif 000505
の場合、
【数５０４】
2020043569.tif 000506
は、式(4)から(11)を満たし、
【数５０５】
2020043569.tif 000507
の場合、
【数５０６】
2020043569.tif 000508
は、式(12)から(19)を満たす。
【０２１４】
任意選択で、
【数５０７】
2020043569.tif 000509
の場合、
【数５０８】
2020043569.tif 000510
は、式(20)から(27)を満たし、
【数５０９】
2020043569.tif 000511
の場合、
【数５１０】
2020043569.tif 000512
は、式(28)から(35)を満たす。
【０２１５】
或いは、
【数５１１】
2020043569.tif 000513
の場合、
【数５１２】
2020043569.tif 000514
は、式(20)から(27)を満たし、
【数５１３】
2020043569.tif 000515
の場合、
【数５１４】
2020043569.tif 000516
は、式(28)から(35)を満たす。
【０２１６】
この実施例では、式(4)から(11)、式(12)から(19)、式(20)から(27)又は式(28)から(35)を満たす
【数５１５】
2020043569.tif 000517
が使用され、シフト系列番号は、0から
【数５１６】
2020043569.tif 000518
の範囲から選択され、それにより、シフト系列番号が選択される範囲を拡張する。
【０２１７】
図１３は、本発明による基地局の実施例１の概略構成図である。図１３に示すように、この実施例における基地局は、生成モジュール1301と、送信モジュール1302とを含んでもよい。生成モジュール1301は、通知シグナリングを生成するように構成され、通知シグナリングは、指示情報を含み、指示情報は、ユーザ装置UEに対して0から
【数５１７】
2020043569.tif 000519
の範囲からシフト系列番号を選択するように命令するように構成され、シフト系列番号は整数であり、nshiftRAはグループ内のUE候補系列シフトの数量であり、ngroupRAはグループの数量であり、
【数５１８】
2020043569.tif 000520
はグループにとって不十分な最後の長さにおけるUE候補系列シフトの数量であり、
【数５１９】
2020043569.tif 000521
は第１の残りの系列シフトにおけるUE候補系列シフトの数量であり、
【数５２０】
2020043569.tif 000522
は第２の残りの系列シフトにおけるUE候補系列シフトの数量である。送信モジュール1302は、通知シグナリングをUEに送信するように構成され、それにより、UEは、指示情報に従ってランダムアクセス系列を生成する。
【０２１８】
この実施例における基地局は、図１に示す方法の実施例における技術的解決策を実行するように構成されてもよい。その実現原理及び技術的効果は同様であり、詳細はここでは再び説明しない。
【０２１９】
図１４は、本発明による基地局の実施例２の概略構成図である。図１４に示すように、図１３に示す基地局の構成に基づいて、この実施例における基地局は、シフト系列番号決定モジュール1303と、サイクリックシフト値決定モジュール1304と、ランダムアクセス系列検出モジュール1305とを更に含んでもよい。シフト系列番号決定モジュール1303は、0から
【数５２１】
2020043569.tif 000523
の範囲からシフト系列番号を選択するように構成される。サイクリックシフト値決定モジュール1304は、シフト系列番号に従ってサイクリックシフト値を取得するように構成される。ランダムアクセス系列検出モジュール1305は、サイクリックシフト値に従って検出系列を生成し、検出系列を使用することにより、UEにより送信されたランダムアクセス系列を検出するように構成され、ランダムアクセス系列は、UEにより指示情報に従って生成される。
【０２２０】
任意選択で、サイクリックシフト値決定モジュール1304は、
式(1)、式(2)又は式(3)を使用することにより、シフト系列番号vに従ってサイクリックシフト値Cvを取得するように具体的に構成される。
【０２２１】
任意選択で、
【数５２２】
2020043569.tif 000524
の場合、サイクリックシフト値決定モジュール1304は、式(1)を使用することにより、サイクリックシフト値Cvを取得し、
【数５２３】
2020043569.tif 000525
の場合、サイクリックシフト値決定モジュール1304は、式(2)を使用することにより、サイクリックシフト値Cvを取得し、
【数５２４】
2020043569.tif 000526
の場合、サイクリックシフト値決定モジュール1304は、式(3)を使用することにより、サイクリックシフト値Cvを取得する。
【０２２２】
任意選択で、
【数５２５】
2020043569.tif 000527
は、式(4)から(11)を満たすか、或いは、
【数５２６】
2020043569.tif 000528
は、式(12)から(19)を満たすか、或いは、
【数５２７】
2020043569.tif 000529
は、式(20)から(27)を満たすか、或いは、
【数５２８】
2020043569.tif 000530
は、式(28)から(35)を満たす。
【０２２３】
任意選択で、
【数５２９】
2020043569.tif 000531
の場合、
【数５３０】
2020043569.tif 000532
は、式(4)から(11)を満たし、
【数５３１】
2020043569.tif 000533
の場合、
【数５３２】
2020043569.tif 000534
は、式(12)から(19)を満たす。
【０２２４】
或いは、
【数５３３】
2020043569.tif 000535
の場合、
【数５３４】
2020043569.tif 000536
は、式(4)から(11)を満たし、
【数５３５】
2020043569.tif 000537
の場合、
【数５３６】
2020043569.tif 000538
は、式(12)から(19)を満たす。
【０２２５】
任意選択で、
【数５３７】
2020043569.tif 000539
の場合、
【数５３８】
2020043569.tif 000540
は、式(20)から(27)を満たし、
【数５３９】
2020043569.tif 000541
の場合、
【数５４０】
2020043569.tif 000542
は、式(28)から(35)を満たす。
【０２２６】
或いは、
【数５４１】
2020043569.tif 000543
の場合、
【数５４２】
2020043569.tif 000544
は、式(20)から(27)を満たし、
【数５４３】
2020043569.tif 000545
の場合、
【数５４４】
2020043569.tif 000546
は、式(28)から(35)を満たす。
【０２２７】
この実施例における基地局は、図２に示す方法の実施例における技術的解決策を実行するように構成されてもよい。その実現原理及び技術的効果は同様であり、詳細はここでは再び説明しない。
【０２２８】
図１５は、本発明によるユーザ装置の実施例１の概略構成図である。図１５に示すように、この実施例におけるユーザ装置は、受信モジュール1501と、シフト系列番号決定モジュール1502と、サイクリックシフト値決定モジュール1503と、ランダムアクセス系列生成モジュール1504とを含んでもよい。受信モジュール1501は、基地局から通知シグナリングを受信するように構成され、通知シグナリングは、指示情報を含み、指示情報は、UEに対して0から
【数５４５】
2020043569.tif 000547
の範囲からシフト系列番号を選択するように命令するために使用され、シフト系列番号は整数であり、nshiftRAはグループ内のUE候補系列シフトの数量であり、ngroupRAはグループの数量であり、
【数５４６】
2020043569.tif 000548
はグループにとって不十分な最後の長さにおけるUE候補系列シフトの数量であり、
【数５４７】
2020043569.tif 000549
は第１の残りの系列シフトにおけるUE候補系列シフトの数量であり、
【数５４８】
2020043569.tif 000550
は第２の残りの系列シフトにおけるUE候補系列シフトの数量である。シフト系列番号決定モジュール1502は、通知シグナリングに従って0から
【数５４９】
2020043569.tif 000551
の範囲からシフト系列番号を選択するように構成される。サイクリックシフト値決定モジュール1503は、シフト系列番号に従ってサイクリックシフト値を取得するように構成される。ランダムアクセス系列生成モジュール1504は、サイクリックシフト値に従ってランダムアクセス系列を生成するように構成される。
【０２２９】
この実施例におけるUEは、図１０に示す方法の実施例における技術的解決策を実行するように構成されてもよい。その実現原理及び技術的効果は同様であり、詳細はここでは再び説明しない。
【０２３０】
ユーザ装置の実施例２は以下の通りである。
【０２３１】
任意選択で、本発明のユーザ装置の実施例１に基づいて、サイクリックシフト値決定モジュール1503は、
式(1)、式(2)又は式(3)を使用することにより、シフト系列番号vに従ってサイクリックシフト値Cvを取得するように具体的に構成される。
【０２３２】
任意選択で、
【数５５０】
2020043569.tif 000552
の場合、サイクリックシフト値決定モジュール1503は、式(1)を使用することにより、サイクリックシフト値Cvを取得し、
【数５５１】
2020043569.tif 000553
の場合、サイクリックシフト値決定モジュール1503は、式(2)を使用することにより、サイクリックシフト値Cvを取得し、
【数５５２】
2020043569.tif 000554
の場合、サイクリックシフト値決定モジュール1503は、式(3)を使用することにより、サイクリックシフト値Cvを取得する。
【０２３３】
任意選択で、
【数５５３】
2020043569.tif 000555
は、式(4)から(11)を満たすか、或いは、
【数５５４】
2020043569.tif 000556
は、式(12)から(19)を満たすか、或いは、
【数５５５】
2020043569.tif 000557
は、式(20)から(27)を満たすか、或いは、
【数５５６】
2020043569.tif 000558
は、式(28)から(35)を満たす。
【０２３４】
任意選択で、
【数５５７】
2020043569.tif 000559
の場合、
【数５５８】
2020043569.tif 000560
は、式(4)から(11)を満たし、
【数５５９】
2020043569.tif 000561
の場合、
【数５６０】
2020043569.tif 000562
は、式(12)から(19)を満たす。
【０２３５】
或いは、
【数５６１】
2020043569.tif 000563
の場合、
【数５６２】
2020043569.tif 000564
は、式(4)から(11)を満たし、
【数５６３】
2020043569.tif 000565
の場合、
【数５６４】
2020043569.tif 000566
は、式(12)から(19)を満たす。
【０２３６】
任意選択で、
【数５６５】
2020043569.tif 000567
の場合、
【数５６６】
2020043569.tif 000568
は、式(20)から(27)を満たし、
【数５６７】
2020043569.tif 000569
の場合、
【数５６８】
2020043569.tif 000570
は、式(28)から(35)を満たす。
【０２３７】
或いは、
【数５６９】
2020043569.tif 000571
の場合、
【数５７０】
2020043569.tif 000572
は、式(20)から(27)を満たし、
【数５７１】
2020043569.tif 000573
の場合、
【数５７２】
2020043569.tif 000574
は、式(28)から(35)を満たす。
【０２３８】
任意選択で、ランダムアクセス系列生成モジュール1504は、
以下の式(36)：
【数５７３】
2020043569.tif 000575
を使用することにより、サイクリックシフト値Cvに従ってランダムアクセス系列
【数５７４】
2020043569.tif 000576
を生成するように具体的に構成され、NZCは系列長であり、ルートがuであるZC系列は
【数５７５】
2020043569.tif 000577
として規定される。
【０２３９】
この実施例におけるUEは、ランダムアクセス系列生成方法の実施例４における技術的解決策を実行するように構成されてもよい。その実現原理及び技術的効果は同様であり、詳細はここでは再び説明しない。
【０２４０】
本発明は、基地局の実施例１又は実施例２における基地局と、ユーザ装置の実施例１又は実施例２におけるユーザ装置とを含むランダムアクセス系列生成システムを更に提供する。
【０２４１】
図１６は、本発明による基地局の実施例３の概略構成図である。図１６に示すように、この実施例における基地局は、シフト系列番号決定モジュール1601と、サイクリックシフト値決定モジュール1602とを含んでもよい。シフト系列番号決定モジュール1601は、0から
【数５７６】
2020043569.tif 000578
の範囲からシフト系列番号vを選択するように構成され、vは整数であり、nshiftRAはグループ内のユーザ装置UE候補系列シフトの数量であり、ngroupRAはグループの数量であり、
【数５７７】
2020043569.tif 000579
はグループにとって不十分な最後の長さにおけるUE候補系列シフトの数量であり、
【数５７８】
2020043569.tif 000580
は第１の残りの系列シフトにおけるUE候補系列シフトの数量であり、
【数５７９】
2020043569.tif 000581
は第２の残りの系列シフトにおけるUE候補系列シフトの数量である。
【０２４２】
サイクリックシフト値決定モジュール1602は、式(1)、式(2)又は式(3)を使用することにより、シフト系列番号vに従ってサイクリックシフト値Cvを取得するように構成される。
【０２４３】
【数５８０】
2020043569.tif 000582
は、式(4)から(11)を満たすか、或いは、
【数５８１】
2020043569.tif 000583
は、式(12)から(19)を満たすか、或いは、
【数５８２】
2020043569.tif 000584
は、式(20)から(27)を満たすか、或いは、
【数５８３】
2020043569.tif 000585
は、式(28)から(35)を満たす。
【０２４４】
任意選択で、
【数５８４】
2020043569.tif 000586
の場合、サイクリックシフト値決定モジュール1602は、式(1)を使用することにより、サイクリックシフト値Cvを取得し、
【数５８５】
2020043569.tif 000587
の場合、サイクリックシフト値決定モジュール1602は、式(2)を使用することにより、サイクリックシフト値Cvを取得し、
【数５８６】
2020043569.tif 000588
の場合、サイクリックシフト値決定モジュール1602は、式(3)を使用することにより、サイクリックシフト値Cvを取得する。
【０２４５】
任意選択で、
【数５８７】
2020043569.tif 000589
の場合、
【数５８８】
2020043569.tif 000590
は、式(4)から(11)を満たし、
【数５８９】
2020043569.tif 000591
の場合、
【数５９０】
2020043569.tif 000592
は、式(12)から(19)を満たす。
【０２４６】
或いは、
【数５９１】
2020043569.tif 000593
の場合、
【数５９２】
2020043569.tif 000594
は、式(4)から(11)を満たし、
【数５９３】
2020043569.tif 000595
の場合、
【数５９４】
2020043569.tif 000596
は、式(12)から(19)を満たす。
【０２４７】
任意選択で、
【数５９５】
2020043569.tif 000597
の場合、
【数５９６】
2020043569.tif 000598
は、式(20)から(27)を満たし、
【数５９７】
2020043569.tif 000599
の場合、
【数５９８】
2020043569.tif 000600
は、式(28)から(35)を満たす。
【０２４８】
或いは、
【数５９９】
2020043569.tif 000601
の場合、
【数６００】
2020043569.tif 000602
は、式(20)から(27)を満たし、
【数６０１】
2020043569.tif 000603
の場合、
【数６０２】
2020043569.tif 000604
は、式(28)から(35)を満たす。
【０２４９】
この実施例における基地局は、図１１に示す方法の実施例における技術的解決策を実行するように構成されてもよい。その実現原理及び技術的効果は同様であり、詳細はここでは再び説明しない。
【０２５０】
図１７は、本発明によるユーザ装置の実施例３の概略構成図である。図１７に示すように、この実施例における基地局は、シフト系列番号決定モジュール1701と、サイクリックシフト値決定モジュール1702と、ランダムアクセス系列生成モジュール1703とを含んでもよい。シフト系列番号決定モジュール1701は、0から
【数６０３】
2020043569.tif 000605
の範囲からシフト系列番号vを選択するように構成され、vは整数であり、nshiftRAはグループ内のUE候補系列シフトの数量であり、ngroupRAはグループの数量であり、
【数６０４】
2020043569.tif 000606
はグループにとって不十分な最後の長さにおけるUE候補系列シフトの数量であり、
【数６０５】
2020043569.tif 000607
は第１の残りの系列シフトにおけるUE候補系列シフトの数量であり、
【数６０６】
2020043569.tif 000608
は第２の残りの系列シフトにおけるUE候補系列シフトの数量である。サイクリックシフト値決定モジュール1702は、式(1)、式(2)又は式(3)を使用することにより、シフト系列番号vに従ってサイクリックシフト値Cvを取得するように構成される。ランダムアクセス系列生成モジュール1703は、式(36)を使用することにより、サイクリックシフト値Cvに従ってランダムアクセス系列
【数６０７】
2020043569.tif 000609
を生成するように構成される。
【０２５１】
【数６０８】
2020043569.tif 000610
は、式(4)から(11)を満たすか、或いは、
【数６０９】
2020043569.tif 000611
は、式(12)から(19)を満たすか、或いは、
【数６１０】
2020043569.tif 000612
は、式(20)から(27)を満たすか、或いは、
【数６１１】
2020043569.tif 000613
は、式(28)から(35)を満たす。
【０２５２】
任意選択で、
【数６１２】
2020043569.tif 000614
の場合、サイクリックシフト値決定モジュール1702は、式(1)を使用することにより、サイクリックシフト値Cvを取得し、
【数６１３】
2020043569.tif 000615
の場合、サイクリックシフト値決定モジュール1702は、式(2)を使用することにより、サイクリックシフト値Cvを取得し、
【数６１４】
2020043569.tif 000616
の場合、サイクリックシフト値決定モジュール1702は、式(3)を使用することにより、サイクリックシフト値Cvを取得する。
【０２５３】
任意選択で、
【数６１５】
2020043569.tif 000617
の場合、
【数６１６】
2020043569.tif 000618
は、式(4)から(11)を満たし、
【数６１７】
2020043569.tif 000619
の場合、
【数６１８】
2020043569.tif 000620
は、式(12)から(19)を満たす。
【０２５４】
或いは、
【数６１９】
2020043569.tif 000621
の場合、
【数６２０】
2020043569.tif 000622
は、式(4)から(11)を満たし、
【数６２１】
2020043569.tif 000623
の場合、
【数６２２】
2020043569.tif 000624
は、式(12)から(19)を満たす。
【０２５５】
任意選択で、
【数６２３】
2020043569.tif 000625
の場合、
【数６２４】
2020043569.tif 000626
は、式(20)から(27)を満たし、
【数６２５】
2020043569.tif 000627
の場合、
【数６２６】
2020043569.tif 000628
は、式(28)から(35)を満たす。
【０２５６】
或いは、
【数６２７】
2020043569.tif 000629
の場合、
【数６２８】
2020043569.tif 000630
は、式(20)から(27)を満たし、
【数６２９】
2020043569.tif 000631
の場合、
【数６３０】
2020043569.tif 000632
は、式(28)から(35)を満たす。
【０２５７】
この実施例におけるユーザ装置は、図１２に示す方法の実施例における技術的解決策を実行するように構成されてもよい。その実現原理及び技術的効果は同様であり、詳細はここでは再び説明しない。
【０２５８】
本発明は、基地局の実施例３における基地局と、ユーザ装置の実施例３におけるユーザ装置とを含むランダムアクセス系列生成システムを更に提供する。
【０２５９】
図１８は、本発明による基地局の実施例４の概略構成図である。図１８に示すように、この実施例における基地局は、プロセッサ1801と、送信機1802とを含んでもよい。プロセッサ1801は、通知シグナリングを生成するように構成され、通知シグナリングは、指示情報を含み、指示情報は、ユーザ装置UEに対して0から
【数６３１】
2020043569.tif 000633
の範囲からシフト系列番号を選択するように命令するために使用され、シフト系列番号は整数であり、nshiftRAはグループ内のUE候補系列シフトの数量であり、ngroupRAはグループの数量であり、
【数６３２】
2020043569.tif 000634
はグループにとって不十分な最後の長さにおけるUE候補系列シフトの数量であり、
【数６３３】
2020043569.tif 000635
は第１の残りの系列シフトにおけるUE候補系列シフトの数量であり、
【数６３４】
2020043569.tif 000636
は第２の残りの系列シフトにおけるUE候補系列シフトの数量である。送信機1802は、通知シグナリングをUEに送信するように構成され、それにより、UEは、指示情報に従ってランダムアクセス系列を生成する。
【０２６０】
任意選択で、プロセッサ1802は、0から
【数６３５】
2020043569.tif 000637
の範囲からシフト系列番号を選択し、
シフト系列番号に従ってサイクリックシフト値を取得し、
サイクリックシフト値に従って検出系列を生成し、検出系列を使用することにより、UEにより送信されたランダムアクセス系列を検出するように更に構成され、ランダムアクセス系列は、UEにより指示情報に従って生成される。
【０２６１】
任意選択で、プロセッサ1802により、シフト系列番号に従ってサイクリックシフト値を取得することは、
式(1)、式(2)又は式(3)を使用することにより、シフト系列番号vに従ってサイクリックシフト値Cvを取得することを具体的に含む。
【０２６２】
任意選択で、
【数６３６】
2020043569.tif 000638
の場合、プロセッサ1802は、式(1)を使用することにより、サイクリックシフト値Cvを取得し、
【数６３７】
2020043569.tif 000639
の場合、プロセッサ1802は、式(2)を使用することにより、サイクリックシフト値Cvを取得し、
【数６３８】
2020043569.tif 000640
の場合、プロセッサ1802は、式(3)を使用することにより、サイクリックシフト値Cvを取得する。
【０２６３】
任意選択で、
【数６３９】
2020043569.tif 000641
は、式(4)から(11)を満たすか、或いは、
【数６４０】
2020043569.tif 000642
は、式(12)から(19)を満たすか、或いは、
【数６４１】
2020043569.tif 000643
は、式(20)から(27)を満たすか、或いは、
【数６４２】
2020043569.tif 000644
は、式(28)から(35)を満たす。
【０２６４】
任意選択で、
【数６４３】
2020043569.tif 000645
の場合、
【数６４４】
2020043569.tif 000646
は、式(4)から(11)を満たし、
【数６４５】
2020043569.tif 000647
の場合、
【数６４６】
2020043569.tif 000648
は、式(12)から(19)を満たす。
【０２６５】
或いは、
【数６４７】
2020043569.tif 000649
の場合、
【数６４８】
2020043569.tif 000650
は、式(4)から(11)を満たし、
【数６４９】
2020043569.tif 000651
の場合、
【数６５０】
2020043569.tif 000652
は、式(12)から(19)を満たす。
【０２６６】
任意選択で、
【数６５１】
2020043569.tif 000653
の場合、
【数６５２】
2020043569.tif 000654
は、式(20)から(27)を満たし、
【数６５３】
2020043569.tif 000655
の場合、
【数６５４】
2020043569.tif 000656
は、式(28)から(35)を満たす。
【０２６７】
或いは、
【数６５５】
2020043569.tif 000657
の場合、
【数６５６】
2020043569.tif 000658
は、式(20)から(27)を満たし、
【数６５７】
2020043569.tif 000659
の場合、
【数６５８】
2020043569.tif 000660
は、式(28)から(35)を満たす。
【０２６８】
この実施例における基地局は、図１又は図２に示す方法の実施例における技術的解決策を実行するように構成されてもよい。その実現原理及び技術的効果は同様であり、詳細はここでは再び説明しない。
【０２６９】
図１９は、本発明によるユーザ装置の実施例４の概略構成図である。図１９に示すように、この実施例におけるユーザ装置は、受信機1901と、プロセッサ1902とを含んでもよい。受信機1901は、基地局から通知シグナリングを受信するように構成され、通知シグナリングは、指示情報を含み、指示情報は、UEに対して0から
【数６５９】
2020043569.tif 000661
の範囲からシフト系列番号を選択するように命令するために使用され、シフト系列番号は整数であり、nshiftRAはグループ内のUE候補系列シフトの数量であり、ngroupRAはグループの数量であり、
【数６６０】
2020043569.tif 000662
はグループにとって不十分な最後の長さにおけるUE候補系列シフトの数量であり、
【数６６１】
2020043569.tif 000663
は第１の残りの系列シフトにおけるUE候補系列シフトの数量であり、
【数６６２】
2020043569.tif 000664
は第２の残りの系列シフトにおけるUE候補系列シフトの数量である。プロセッサ1902は、通知シグナリングに従って0から
【数６６３】
2020043569.tif 000665
の範囲からシフト系列番号を選択し、シフト系列番号に従ってサイクリックシフト値を取得し、サイクリックシフト値に従ってランダムアクセス系列を生成するように構成される。
【０２７０】
任意選択で、プロセッサ1902により、シフト系列番号に従ってサイクリックシフト値を取得することは、
式(1)、式(2)又は式(3)を使用することにより、シフト系列番号vに従ってサイクリックシフト値Cvを取得することを具体的に含む。
【０２７１】
任意選択で、
【数６６４】
2020043569.tif 000666
の場合、プロセッサ1902は、式(1)を使用することにより、サイクリックシフト値Cvを取得し、
【数６６５】
2020043569.tif 000667
の場合、プロセッサ1902は、式(2)を使用することにより、サイクリックシフト値Cvを取得し、
【数６６６】
2020043569.tif 000668
の場合、プロセッサ1902は、式(3)を使用することにより、サイクリックシフト値Cvを取得する。
【０２７２】
任意選択で、
【数６６７】
2020043569.tif 000669
は、式(4)から(11)を満たすか、或いは、
【数６６８】
2020043569.tif 000670
は、式(12)から(19)を満たすか、或いは、
【数６６９】
2020043569.tif 000671
は、式(20)から(27)を満たすか、或いは、
【数６７０】
2020043569.tif 000672
は、式(28)から(35)を満たす。
【０２７３】
任意選択で、
【数６７１】
2020043569.tif 000673
の場合、
【数６７２】
2020043569.tif 000674
は、式(4)から(11)を満たし、
【数６７３】
2020043569.tif 000675
の場合、
【数６７４】
2020043569.tif 000676
は、式(12)から(19)を満たす。
【０２７４】
或いは、
【数６７５】
2020043569.tif 000677
の場合、
【数６７６】
2020043569.tif 000678
は、式(4)から(11)を満たし、
【数６７７】
2020043569.tif 000679
の場合、
【数６７８】
2020043569.tif 000680
は、式(12)から(19)を満たす。
【０２７５】
任意選択で、
【数６７９】
2020043569.tif 000681
の場合、
【数６８０】
2020043569.tif 000682
は、式(20)から(27)を満たし、
【数６８１】
2020043569.tif 000683
の場合、
【数６８２】
2020043569.tif 000684
は、式(28)から(35)を満たす。
【０２７６】
或いは、
【数６８３】
2020043569.tif 000685
の場合、
【数６８４】
2020043569.tif 000686
は、式(20)から(27)を満たし、
【数６８５】
2020043569.tif 000687
の場合、
【数６８６】
2020043569.tif 000688
は、式(28)から(35)を満たす。
【０２７７】
任意選択で、プロセッサ1902により、サイクリックシフト値に従ってランダムアクセス系列を生成することは、式(36)：
【数６８７】
2020043569.tif 000689
を使用することにより、サイクリックシフト値Cvに従ってランダムアクセス系列
【数６８８】
2020043569.tif 000690
を生成し、NZCは系列長であり、ルートがuであるZC系列は
【数６８９】
2020043569.tif 000691
として規定されることを具体的に含む。
【０２７８】
この実施例におけるUEは、ランダムアクセス系列生成方法の実施例３又は実施例４における技術的解決策を実行するように構成されてもよい。その実現原理及び技術的効果は同様であり、詳細はここでは再び説明しない。
【０２７９】
図２０は、本発明による基地局の実施例５の概略構成図である。図２０に示すように、この実施例における基地局は、プロセッサ2001と、メモリ2002とを含んでもよい。装置は、送信機2003と、受信機2004とを更に含んでもよい。送信機2003及び受信機2004は、プロセッサ2001に接続されてもよい。送信機2003は、データ又は情報を送信するように構成される。受信機2004は、データ又は情報を受信するように構成される。メモリ2002は、実行可能命令を記憶する。装置が動作するときに、プロセッサ2001は、メモリ2002と通信する。プロセッサ2001は、以下の動作：
0から
【数６９０】
2020043569.tif 000692
の範囲からシフト系列番号vを選択する動作であり、vは整数であり、nshiftRAはグループ内のユーザ装置UE候補系列シフトの数量であり、ngroupRAはグループの数量であり、
【数６９１】
2020043569.tif 000693
はグループにとって不十分な最後の長さにおけるUE候補系列シフトの数量であり、
【数６９２】
2020043569.tif 000694
は第１の残りの系列シフトにおけるUE候補系列シフトの数量であり、
【数６９３】
2020043569.tif 000695
は第２の残りの系列シフトにおけるUE候補系列シフトの数量である動作と、
式(1)、式(2)又は式(3)を使用することにより、シフト系列番号vに従ってサイクリックシフト値Cvを取得する動作と
を実行するために、メモリ2002内の実行可能命令を呼び出す。
【０２８０】
【数６９４】
2020043569.tif 000696
は、式(4)から(11)を満たすか、或いは、
【数６９５】
2020043569.tif 000697
は、式(12)から(19)を満たすか、或いは、
【数６９６】
2020043569.tif 000698
は、式(20)から(27)を満たすか、或いは、
【数６９７】
2020043569.tif 000699
は、式(28)から(35)を満たす。
【０２８１】
任意選択で、
【数６９８】
2020043569.tif 000700
の場合、プロセッサ2001は、式(1)を使用することにより、サイクリックシフト値Cvを取得し、
【数６９９】
2020043569.tif 000701
の場合、プロセッサ2001は、式(2)を使用することにより、サイクリックシフト値Cvを取得し、
【数７００】
2020043569.tif 000702
の場合、プロセッサ2001は、式(3)を使用することにより、サイクリックシフト値Cvを取得する。
【０２８２】
任意選択で、
【数７０１】
2020043569.tif 000703
の場合、
【数７０２】
2020043569.tif 000704
は、式(4)から(11)を満たし、
【数７０３】
2020043569.tif 000705
の場合、
【数７０４】
2020043569.tif 000706
は、式(12)から(19)を満たす。
【０２８３】
或いは、
【数７０５】
2020043569.tif 000707
の場合、
【数７０６】
2020043569.tif 000708
は、式(4)から(11)を満たし、
【数７０７】
2020043569.tif 000709
の場合、
【数７０８】
2020043569.tif 000710
は、式(12)から(19)を満たす。
【０２８４】
任意選択で、
【数７０９】
2020043569.tif 000711
の場合、
【数７１０】
2020043569.tif 000712
は、式(20)から(27)を満たし、
【数７１１】
2020043569.tif 000713
の場合、
【数７１２】
2020043569.tif 000714
は、式(28)から(35)を満たす。
【０２８５】
或いは、
【数７１３】
2020043569.tif 000715
の場合、
【数７１４】
2020043569.tif 000716
は、式(20)から(27)を満たし、
【数７１５】
2020043569.tif 000717
の場合、
【数７１６】
2020043569.tif 000718
は、式(28)から(35)を満たす。
【０２８６】
この実施例における基地局は、図１１に示す方法の実施例における技術的解決策を実行するように構成されてもよい。その実現原理及び技術的効果は同様であり、詳細はここでは再び説明しない。
【０２８７】
ユーザ装置の実施例５の概略構成図において、この実施例におけるユーザ装置は、図２０に示す基地局のものと同じ構成を有し、また、プロセッサと、メモリとを含んでもよい。装置は、送信機と、受信機とを更に含んでもよい。送信機及び受信機は、プロセッサに接続されてもよい。送信機は、データ又は情報を送信するように構成される。受信機は、データ又は情報を受信するように構成される。メモリは、実行可能命令を記憶する。装置が動作するときに、プロセッサは、メモリと通信する。プロセッサは、以下の動作：
0から
【数７１７】
2020043569.tif 000719
の範囲からシフト系列番号vを選択する動作であり、vは整数であり、nshiftRAはグループ内のUE候補系列シフトの数量であり、ngroupRAはグループの数量であり、
【数７１８】
2020043569.tif 000720
はグループにとって不十分な最後の長さにおけるUE候補系列シフトの数量であり、
【数７１９】
2020043569.tif 000721
は第１の残りの系列シフトにおけるUE候補系列シフトの数量であり、
【数７２０】
2020043569.tif 000722
は第２の残りの系列シフトにおけるUE候補系列シフトの数量である動作と、
式(1)、式(2)又は式(3)を使用することにより、シフト系列番号vに従ってサイクリックシフト値Cvを取得する動作と、
式(36)を使用することにより、サイクリックシフト値Cvに従ってランダムアクセス系列
【数７２１】
2020043569.tif 000723
を生成する動作と
を実行するために、メモリ内の実行可能命令を呼び出す。
【０２８８】
【数７２２】
2020043569.tif 000724
は、式(4)から(11)を満たすか、或いは、
【数７２３】
2020043569.tif 000725
は、式(12)から(19)を満たすか、或いは、
【数７２４】
2020043569.tif 000726
は、式(20)から(27)を満たすか、或いは、
【数７２５】
2020043569.tif 000727
は、式(28)から(35)を満たす。
【０２８９】
任意選択で、
【数７２６】
2020043569.tif 000728
の場合、プロセッサは、式(1)を使用することにより、サイクリックシフト値Cvを取得し、
【数７２７】
2020043569.tif 000729
の場合、プロセッサは、式(2)を使用することにより、サイクリックシフト値Cvを取得し、
【数７２８】
2020043569.tif 000730
の場合、プロセッサは、式(3)を使用することにより、サイクリックシフト値Cvを取得する。
【０２９０】
任意選択で、
【数７２９】
2020043569.tif 000731
の場合、
【数７３０】
2020043569.tif 000732
は、式(4)から(11)を満たし、
【数７３１】
2020043569.tif 000733
の場合、
【数７３２】
2020043569.tif 000734
は、式(12)から(19)を満たす。
【０２９１】
或いは、
【数７３３】
2020043569.tif 000735
の場合、
【数７３４】
2020043569.tif 000736
は、式(4)から(11)を満たし、
【数７３５】
2020043569.tif 000737
の場合、
【数７３６】
2020043569.tif 000738
は、式(12)から(19)を満たす。
【０２９２】
任意選択で、
【数７３７】
2020043569.tif 000739
の場合、
【数７３８】
2020043569.tif 000740
は、式(20)から(27)を満たし、
【数７３９】
2020043569.tif 000741
の場合、
【数７４０】
2020043569.tif 000742
は、式(28)から(35)を満たす。
【０２９３】
或いは、
【数７４１】
2020043569.tif 000743
の場合、
【数７４２】
2020043569.tif 000744
は、式(20)から(27)を満たし、
【数７４３】
2020043569.tif 000745
の場合、
【数７４４】
2020043569.tif 000746
は、式(28)から(35)を満たす。
【０２９４】
この実施例におけるユーザ装置は、図１２に示す方法の実施例における技術的解決策を実行するように構成されてもよい。その実現原理及び技術的効果は同様であり、詳細はここでは再び説明しない。
【０２９５】
当業者は、方法の実施例のステップの全部又は一部が関係するハードウェアに命令するプログラムにより実現されてもよいことを理解し得る。プログラムは、コンピュータ読み取り可能記憶媒体に記憶されてもよい。プログラムが動作するときに、方法の実施例のステップが実行される。前述の記憶媒体は、ROM、RAM、磁気ディスク又は光ディスクのようなプログラムコードを記憶できるいずれかの媒体を含む。
【０２９６】
最後に、前述の実施例は、単に本発明の技術的解決策を説明することを意図するものに過ぎず、本発明を限定することを意図するものではない点に留意すべきである。本発明について前述の実施例を参照して詳細に説明したが、当業者は、本発明の実施例の技術的解決策の範囲を逸脱することなく、依然として前述の実施例に記載の技術的解決策に変更を行ってもよく、或いはその一部又は全部の技術的特徴に等価置換を行ってもよいことを理解すべきである。
【図１】
2020043569.tif 001036
【図２】
2020043569.tif 001037
【図３】
2020043569.tif 001038
【図４】
2020043569.tif 001039
【図５】
2020043569.tif 001040
【図６】
2020043569.tif 001041
【図７】
2020043569.tif 001042
【図８】
2020043569.tif 001043
【図９】
2020043569.tif 001044
【図１０】
2020043569.tif 001045
【図１１】
2020043569.tif 001046
【図１２】
2020043569.tif 001047
【図１３】
2020043569.tif 001048
【図１４】
2020043569.tif 001049
【図１５】
2020043569.tif 001050
【図１６】
2020043569.tif 001051
【図１７】
2020043569.tif 001052
【図１８】
2020043569.tif 001053
【図１９】
2020043569.tif 001054
【図２０】
2020043569.tif 001055
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
シフト系列番号vに従ってサイクリックシフト値Cvを取得するステップであり、
【数１】
2020043569.tif 001056
であり、vは整数であり、NCSはユーザ装置のためのサイクリックシフトの数量であり、
nshiftRA及びdstartは、式(4)及び(5)を満たすか、或いは、nshiftRA及びdstartは、式(12)及び(13)を満たすか、或いは、nshiftRA及びdstartは、式(20)及び(21)を満たすか、或いは、nshiftRA及びdstartは、式(28)及び(29)を満たし、
【数２】
2020043569.tif 001057
であり、NZCはランダムアクセス系列の長さであり、前記ランダムアクセス系列のルートはuであり、
【数３】
2020043569.tif 001058
であり、
pは(pu)modNZC=1を満たす最小の負でない整数であるステップと、
前記サイクリックシフト値Cvに従って前記ランダムアクセス系列を生成するステップと
を含むランダムアクセス系列生成方法。
【請求項２】
【数４】
2020043569.tif 001059
の場合、nshiftRA及びdstartは、式(4)及び(5)を満たすか、或いは、
【数５】
2020043569.tif 001060
の場合、nshiftRA及びdstartは、式(12)及び(13)を満たすか、或いは、
【数６】
2020043569.tif 001061
の場合、nshiftRA及びdstartは、式(20)及び(21)を満たすか、或いは、
【数７】
2020043569.tif 001062
の場合、nshiftRA及びdstartは、式(28)及び(29)を満たす、請求項１に記載の方法。
【請求項３】
前記シフト系列番号vの範囲は、0から
【数８】
2020043569.tif 001063
であり、
前記nshiftRA及びdstartが式(4)及び(5)を満たす場合、
【数９】
2020043569.tif 001064
は式(6)から(8)及び(10)を満たすか、或いは、
前記nshiftRA及びdstartが式(12)及び(13)を満たす場合、
【数１０】
2020043569.tif 001065
は式(14)から(16)及び(18)を満たすか、或いは、
前記nshiftRA及びdstartが式(20)及び(21)を満たす場合、
【数１１】
2020043569.tif 001066
は式(22)から(24)及び(26)を満たすか、或いは、
前記nshiftRA及びdstartが式(28)及び(29)を満たす場合、
【数１２】
2020043569.tif 001067
は式(30)から(32)及び(34)を満たし、
【数１３】
2020043569.tif 001068
【数１４】
2020043569.tif 001069
【数１５】
2020043569.tif 001070
【数１６】
2020043569.tif 001071
である、請求項１又は２に記載の方法。
【請求項４】
【数１７】
2020043569.tif 001072
である、請求項３に記載の方法。
【請求項５】
前記サイクリックシフト値Cvに従って前記ランダムアクセス系列を生成するステップは、
式(36)：
【数１８】
2020043569.tif 001073
を満たす前記サイクリックシフト値Cvに従って前記ランダムアクセス系列
【数１９】
2020043569.tif 001074
を生成するステップであり、前記ランダムアクセス系列の前記ルートuは
【数２０】
2020043569.tif 001075
を満たすステップを含む、請求項１乃至４のうちいずれか１項に記載の方法。
【請求項６】
前記サイクリックシフト値Cvを取得する前に、
前記シフト系列番号vの範囲を示す指示情報を送信するステップを更に含む、請求項１乃至５のうちいずれか１項に記載の方法。
【請求項７】
前記サイクリックシフト値Cvを取得する前に、
前記シフト系列番号vの範囲を示す指示情報を受信するステップを更に含む、請求項１乃至５のうちいずれか１項に記載の方法。
【請求項８】
前記ランダムアクセス系列を生成した後に、
前記ランダムアクセス系列を送信するステップを更に含む、請求項１乃至７のうちいずれか１項に記載の方法。
【請求項９】
前記ランダムアクセス系列を生成した後に、
前記生成されたランダムアクセス系列に従ってランダムアクセス系列を検出するステップを更に含む、請求項１乃至７のうちいずれか１項に記載の方法。
【請求項１０】
duはドップラー周波数シフトが物理ランダムアクセスチャネル（PRACH）サブキャリア間隔の１倍であるときの前記ランダムアクセス系列に対応するサイクリックシフトである、請求項１乃至９のうちいずれか１項に記載の方法。
【請求項１１】
請求項１乃至１０のうちいずれか１項に記載の方法を実行するように構成された装置。
【請求項１２】
請求項１乃至６、９及び１０のうちいずれか１項に記載の方法を実行するように構成された、基地局である装置。
【請求項１３】
請求項１乃至５、７、８及び１０のうちいずれか１項に記載の方法を実行するように構成された、前記ユーザ装置UEである装置。
【請求項１４】
コンピュータにより実行されたとき、前記コンピュータに請求項１乃至１０のうちいずれか１項に記載の方法を実行させるプログラムを記録したコンピュータ読み取り可能記憶媒体。
【請求項１５】
コンピュータにより実行されたとき、前記コンピュータに請求項１乃至１０のうちいずれか１項に記載の方法を実行させるプログラム。
【請求項１６】
請求項１１乃至１３のうちいずれか１項に記載の装置を含む通信システム。
【外国語明細書】
2020043569000001.pdf